(57)【要約】  【課題】  生体の表面に光を入射して生体情報の特徴量を含んだ生体内からの光音響波信号を生体の表面から検出する非侵襲生体情報測定装置において、装置を大型化することなく、有効な光音響検出手段を選択する非侵襲生体情報測定装置を提供する。  【解決手段】  生体の表面に光を入射して生体情報の特徴量を含んだ前記生体内からの光音響波信号を前記生体の表面から検出する非侵襲生体情報測定装置において、前記光音響波信号の検出信号から第１の測定位置と第２の測定位置とを検出し、第１，第２の測定位置間の距離を測定し、該第１，第２の測定位置間の距離の差に応じて有効な光音響検出手段を選択するよう指示する検出手段指示信号を出力する信号比較手段と、該信号比較手段から出力された移動指示信号を使用者に通知する移動指示手段とを備え、装置を大型化することなく、有効な光音響検出手段を選択する非侵襲生体情報測定装置を提供することができる。【選択図】  図２
2009039266.tif 000002
【特許請求の範囲】
【請求項１】
生体の表面に光を照射して生体情報の特徴量を含んだ前記生体内からの光音響波信号を前記生体の表面から検出する非侵襲生体情報測定装置において、
少なくとも１つの光源と、
該光源の点灯タイミングを制御し、後述する増幅手段とＡ／Ｄ変換手段の起動信号を出力し、後述する検出手段指示信号に基づき有効な光音響検出手段に対する検出手段選択信号を後述する信号選択手段に出力する制御手段と、
該光源の照射光による生体内からの光音響波信号を検出し、検出信号を生成する複数の光音響検出手段と、
該光音響検出手段で生成された複数の検出信号から前記検出手段選択信号に応じて有効な検出信号を選択する信号選択手段と、
該信号選択手段より出力された有効な検出信号をそれぞれ増幅する複数の増幅手段と、
該増幅手段で増幅された複数の有効検出信号をそれぞれＡ／Ｄ変換する複数のＡ／Ｄ変換手段と、
該Ａ／Ｄ変換された複数のデジタルデータから生体情報の特徴量を推定する特徴量推定手段と、
該特徴量推定手段により推定された生体情報の特徴量を表示する特徴量表示手段と、
前記Ａ／Ｄ変換された複数のデジタルデータに基づき生体の表面と生体内の血管との距離をそれぞれ測定し、該距離の差に応じて有効な光音響検出手段を選択するための検出手段指示信号を出力する信号比較手段と、
該信号比較手段から出力された移動指示信号を外部に通知する移動指示手段と、を備え、
光音響検出手段よりも少ない数の増幅手段、Ａ／Ｄ変換手段で測定回数を大きく増やすことなく特徴量を推定できる、ことを特徴とする非侵襲生体情報測定装置。
【請求項２】
請求項１に記載の非侵襲生体情報測定装置において、
前記信号比較手段は、前記Ａ／Ｄ変換手段から出力された複数の前記デジタルデータから第１の測定位置と第２の測定位置とを検出し、該第１，第２の測定位置間の距離をそれぞれ測定し、該第１，第２の測定位置間の距離の大きさを比較して場合分けを行い、さらに、それぞれの第１，第２の測定位置間の距離の差を求めて、該第１，第２の測定位置間の距離の差と有効な前記光音響検出手段が第一領域内であるか否かの判断基準である第一領域閾値Ａ、有効な前記光音響検出手段が第二領域内であるか否かの判断基準である第二領域閾値Ｂ、有効な前記光音響検出手段が第三領域内であるか否かの判断基準である第三領域閾値Ｃと、を比較し、その結果に応じて前記検出手段指示信号または前記移動指示信号を生成する、ことを特徴とする非侵襲生体情報測定装置。
【請求項３】
請求項１に記載の非侵襲生体情報測定装置において、
前記信号比較手段は、前記Ａ／Ｄ変換手段から出力された複数の前記デジタルデータに基づき前記第１，第２の測定位置を検出するとともに該第１，第２の測定位置間の距離の測定開始及び測定終了を示す測定開始信号及び測定終了信号を出力する測定位置検出手段と、
複数の前記デジタルデータに対し、前記測定開始信号に基づきカウントを開始し、前記測定終了信号に基づきカウントを終了する複数の距離測定カウンタと、
該距離測定カウンタがカウントした値を比較した回数を記憶する比較回数記憶手段を有し、前記カウントした値の差と閾値とを比較することにより、前記カウントした値の差が当てはまった閾値に対応する領域の前記光音響検出手段を選択するよう指示する前記検出手段指示信号を生成し、さらに、前記比較回数記憶手段の記憶回数が２回以上のときに、前記カウントした値の差が閾値に当てはまらない場合には前記移動指示信号を生成する選択信号生成手段とを有する、ことを特徴とする非侵襲生体情報測定装置。
【請求項４】
請求項３に記載の非侵襲生体情報測定装置において、
前記選択信号生成手段が、前記距離測定カウンタがカウントした値の差と比較する閾値は、有効な前記光音響検出手段が第一領域内であるか否かの判断基準である第一領域閾値Ａ、有効な前記光音響検出手段が第二領域内であるか否かの判断基準である第二領域閾値Ｂ、有効な前記光音響検出手段が第三領域内であるか否かの判断基準である第三領域閾値Ｃ、であり、前記選択信号生成手段は、複数の前記距離測定カウンタがカウントした値の差と前記第一領域閾値Ａまたは前記第二領域閾値Ｂまたは前記第三領域閾値Ｃとを比較した結果に応じて前記検出手段指示信号または前記移動指示信号を生成する、ことを特徴とする非侵襲生体情報測定装置。
【請求項５】
請求項３に記載の非侵襲生体情報測定装置において、
前記測定位置検出手段は、前記Ａ／Ｄ変換手段から出力されたデジタルデータと、該デジタルデータが生体の表面においてエネルギー変換された光音響信号に対応するか否かの判断基準である生体の表面用閾値Ｄとを比較することで前記第１の測定位置を検出するとともに、前記第１，第２の測定位置間の距離の測定開始を示す測定開始信号の出力を開始し、その後、前記Ａ／Ｄ変換手段から出力されたデジタルデータと該デジタルデータが生体内の血管においてエネルギー変換された光音響信号に対応するか否かの判断基準である生体内の血管用閾値Ｅとを比較することで前記第２の測定位置を検出するとともに、前記第１，第２の測定位置間の距離の測定終了を示す測定終了信号の出力を開始する、ことを特徴とする非侵襲生体情報測定装置。
【請求項６】
請求項５に記載の非侵襲生体情報測定装置において、
前記Ａ／Ｄ変換手段から出力されたデジタルデータが前記生体の表面用閾値Ｄより高い値から低い値に変化する位置を前記第１の測定位置として検出するとともに、前記測定開始信号の出力を開始し、前記デジタルデータが前記生体の表面用閾値Ｄより低い値から高い値に変化する位置において前記測定開始信号の出力を終了し、その後、前記デジタルデータが前記生体内の血管用閾値Ｅより高い値から低い値に変化する位置を前記第２の測定位置として検出するとともに、前記測定終了信号の出力を開始し、前記デジタルデータが前記生体内の血管用閾値Ｅより低い値から高い値に変化する位置において前記測定終了信号の出力を終了する、ことを特徴とする非侵襲生体情報測定装置。
【請求項７】
請求項３に記載の非侵襲生体情報測定装置において、
前記測定位置検出手段は、ローパスフィルタを有し、該ローパスフィルタにより、前記測定開始信号及び前記測定終了信号の出力時間が短いときに、該測定開始信号及び測定終了信号を無効にすることが可能である、ことを特徴とする非侵襲生体情報測定装置。
【請求項８】
請求項７に記載の非侵襲生体情報測定装置において、前記ローパスフィルタは、外部から書き込み可能な複数のレジスタを有し、該レジスタに書き込む値を変更することにより、前記測定開始信号及び前記測定終了信号を無効にする時間を変更することが可能である、ことを特徴とする非侵襲生体情報測定装置。
【請求項９】
請求項５に記載の非侵襲生体情報測定装置において、
前記測定位置検出手段は、ピーク位置抽出手段を有し、該ピーク位置抽出手段は、前記デジタルデータと前記生体の表面用閾値Ｄとを比較し、前記デジタルデータと前記生体の表面用閾値Ｄとの差が最も大きい位置を前記第１の測定位置として検出し、その後、前記デジタルデータと前記生体内の血管用閾値Ｅとを比較し、前記デジタルデータと前記生体内の血管用閾値Ｅとの差が最も大きい位置を前記第２の測定位置として検出する、ことを特徴とする非侵襲生体情報測定装置。
【請求項１０】
請求項２に記載の非侵襲生体情報測定装置において、
前記信号比較手段が検出する前記第１の測定位置は、前記生体の表面からのデジタルデータに対応する位置である、ことを特徴とする非侵襲生体情報測定装置。
【請求項１１】
請求項２に記載の非侵襲生体情報測定装置において、
前記信号比較手段が検出する前記第２の測定位置は、前記生体内の血管からのデジタルデータに対応する位置である、ことを特徴とする非侵襲生体情報測定装置。
【請求項１２】
請求項５に記載の非侵襲生体情報測定装置において、
前記測定位置検出手段が前記デジタルデータと比較する前記生体の表面用閾値Ｄ及び前記生体内の血管用閾値Ｅは、それぞれ該デジタルデータに対する所定の振幅値である、ことを特徴とする非侵襲生体情報測定装置。
【請求項１３】
請求項５に記載の非侵襲生体情報測定装置において、
前記測定位置検出手段が前記デジタルデータと比較する前記生体の表面用閾値Ｄ及び前記生体内の血管用閾値Ｅは、それぞれ該検出信号に対する所定の傾きの値である、ことを特徴とする非侵襲生体情報測定装置。
【請求項１４】
請求項５に記載の非侵襲生体情報測定装置において、
前記測定位置検出手段は、外部から書き込み可能な複数のレジスタを有し、該レジスタに書き込む値を変更することにより、前記生体の表面用閾値Ｄ及び前記生体内の血管用閾値Ｅを変更することが可能である、ことを特徴とする非侵襲生体情報測定装置。
【請求項１５】
請求項３に記載の非侵襲生体情報測定装置において、
前記選択信号生成手段が出力する移動指示信号は、前記非侵襲生体情報測定装置の設置位置に有効な前記光音響検出手段が存在しないことを検出した結果、出力される、ことを特徴とする非侵襲生体情報測定装置。
【請求項１６】
請求項３に記載の非侵襲生体情報測定装置において、
前記選択信号生成手段は、外部から書き込み可能な複数のレジスタを有し、該レジスタに書き込む値を変更することにより、前記第一領域閾値Ａ及び前記第二領域閾値Ｂ及び前記第三領域閾値Ｃを変更することが可能である、ことを特徴とする非侵襲生体情報測定装置。
【請求項１７】
生体の表面に光を照射して生体情報の特徴量を含んだ前記生体内からの光音響波信号を前記生体の表面から検出する非侵襲生体情報測定装置において、
少なくとも１つの光源と、
該光源の点灯タイミングを制御し、後述する増幅手段とＡ／Ｄ変換手段の起動信号を出力し、後述する検出手段指示信号に基づき有効な光音響検出手段に対する検出手段選択信号を後述する信号選択手段に出力する制御手段と、
該光源の照射光による生体内からの光音響波信号を検出し、検出信号を生成する複数の光音響検出手段と、
該光音響検出手段で生成された複数の検出信号から前記検出手段選択信号に応じて有効な検出信号を選択する信号選択手段と、
該信号選択手段より出力された有効検出信号をそれぞれ増幅する複数の増幅手段と、
該増幅手段で増幅された複数の有効検出信号をそれぞれＡ／Ｄ変換する複数のＡ／Ｄ変換手段と、
該Ａ／Ｄ変換された複数のデジタルデータから生体情報の特徴量を推定する特徴量推定手段と、
該特徴量推定手段により推定された生体情報の特徴量を表示する特徴量表示手段と、
前記起動信号に基づきカウントを開始し、該カウントした値が、位置測定開始の判断基準である位置抽出用閾値Ｘ以上のときに位置抽出信号を出力する開始信号生成カウンタと、
前記位置抽出信号を受信することにより、前記Ａ／Ｄ変換された複数のデジタルデータに基づき生体の表面と生体内の血管との距離をそれぞれ測定し、該距離の差に応じて有効な光音響検出手段を選択するよう指示する検出手段指示信号を出力する信号比較手段と、
該信号比較手段から出力された移動指示信号を使用者に通知する移動指示手段と、を備え、光音響検出手段よりも少ない数の増幅手段、Ａ／Ｄ変換手段で測定回数を大きく増やすことなく特徴量を推定できる、ことを特徴とする非侵襲生体情報測定装置。
【請求項１８】
請求項１７に記載の非侵襲生体情報測定装置において、
前記信号比較手段は、前記Ａ／Ｄ変換手段から出力された複数の前記デジタルデータから第１の測定位置と第２の測定位置とを検出し、該第１，第２の測定位置間の距離をそれぞれ測定し、該第１，第２の測定位置間の距離の大きさを比較して場合分けを行い、さらに、それぞれの第１，第２の測定位置間の距離の差を求めて、該第１，第２の測定位置間の距離の差と有効な前記光音響検出手段が第一領域内であるか否かの判断基準である第一領域閾値Ａ、有効な前記光音響検出手段が第二領域内であるか否かの判断基準である第二領域閾値Ｂ、有効な前記光音響検出手段が第三領域内であるか否かの判断基準である第三領域閾値Ｃと、を比較し、その結果に応じて前記検出手段指示信号または前記移動指示信号を生成する、ことを特徴とする非侵襲生体情報測定装置。
【請求項１９】
請求項１７に記載の非侵襲生体情報測定装置において、
前記信号比較手段は、前記Ａ／Ｄ変換手段から出力された複数の前記デジタルデータに基づき前記第１，第２の測定位置を検出するとともに該第１，第２の測定位置間の距離の測定開始及び測定終了を示す測定開始信号及び測定終了信号を出力する測定位置検出手段と、複数の前記デジタルデータに対し、前記測定開始信号に基づきカウントを開始し、前記測定終了信号に基づきカウントを終了する複数の距離測定カウンタと、該距離測定カウンタがカウントした値を比較した回数を記憶する比較回数記憶手段を有し、前記カウントした値の差と閾値とを比較することにより、前記カウントした値の差が当てはまった閾値に対応する領域の前記光音響検出手段を選択するよう指示する前記検出手段指示信号を生成し、さらに、前記比較回数記憶手段の記憶回数が２回以上のときに、前記カウントした値の差が閾値に当てはまらない場合には前記移動指示信号を生成する選択信号生成手段とを有する、ことを特徴とする非侵襲生体情報測定装置。
【請求項２０】
請求項１９に記載の非侵襲生体情報測定装置において、
前記選択信号生成手段が、前記距離測定カウンタがカウントした値の差と比較する閾値は、有効な前記光音響検出手段が第一領域内であるか否かの判断基準である第一領域閾値Ａ、有効な前記光音響検出手段が第二領域内であるか否かの判断基準である第二領域閾値Ｂ、有効な前記光音響検出手段が第三領域内であるか否かの判断基準である第三領域閾値Ｃ、であり、前記選択信号生成手段は、複数の前記距離測定カウンタがカウントした値の差と前記第一領域閾値Ａまたは前記第二領域閾値Ｂまたは前記第三領域閾値Ｃとを比較した結果に応じて前記検出手段指示信号または前記移動指示信号を生成する、ことを特徴とする非侵襲生体情報測定装置。
【請求項２１】
請求項１９に記載の非侵襲生体情報測定装置において、
前記測定位置検出手段は、前記Ａ／Ｄ変換手段から出力されたデジタルデータと、該デジタルデータが生体の表面においてエネルギー変換された光音響信号に対応するか否かの判断基準である生体の表面用閾値Ｄとを比較することで前記第１の測定位置を検出するとともに、前記第１，第２の測定位置間の距離の測定開始を示す測定開始信号の出力を開始し、その後、前記Ａ／Ｄ変換手段から出力されたデジタルデータと該デジタルデータが生体内の血管においてエネルギー変換された光音響信号に対応するか否かの判断基準である生体内の血管用閾値Ｅとを比較することで前記第２の測定位置を検出するとともに、前記第１，第２の測定位置間の距離の測定終了を示す測定終了信号の出力を開始する、
ことを特徴とする非侵襲生体情報測定装置。
【請求項２２】
請求項２１に記載の非侵襲生体情報測定装置において、
前記Ａ／Ｄ変換手段から出力されたデジタルデータが前記生体の表面用閾値Ｄより高い値から低い値に変化する位置を前記第１の測定位置として検出するとともに、前記測定開始信号の出力を開始し、前記デジタルデータが前記生体の表面用閾値Ｄより低い値から高い値に変化する位置において前記測定開始信号の出力を終了し、その後、前記デジタルデータが前記生体内の血管用閾値Ｅより高い値から低い値に変化する位置を前記第２の測定位置として検出するとともに、前記測定終了信号の出力を開始し、前記デジタルデータが前記生体内の血管用閾値Ｅより低い値から高い値に変化する位置において前記測定終了信号の出力を終了する、ことを特徴とする非侵襲生体情報測定装置。
【請求項２３】
請求項１９に記載の非侵襲生体情報測定装置において、
前記測定位置検出手段は、ローパスフィルタを有し、該ローパスフィルタにより、前記測定開始信号及び前記測定終了信号の出力時間が短いときに、該測定開始信号及び測定終了信号を無効にすることが可能である、ことを特徴とする非侵襲生体情報測定装置。
【請求項２４】
請求項２３に記載の非侵襲生体情報測定装置において、
前記ローパスフィルタは、外部から書き込み可能な複数のレジスタを有し、該レジスタに書き込む値を変更することにより、前記測定開始信号及び前記測定終了信号を無効にする時間を変更することが可能である、ことを特徴とする非侵襲生体情報測定装置。
【請求項２５】
請求項２１に記載の非侵襲生体情報測定装置において、
前記測定位置検出手段は、ピーク位置抽出手段を有し、該ピーク位置抽出手段は、前記デジタルデータと前記生体の表面用閾値Ｄとを比較し、前記デジタルデータと前記生体の表面用閾値Ｄとの差が最も大きい位置を前記第１の測定位置として検出し、その後、前記デジタルデータと前記生体内の血管用閾値Ｅとを比較し、前記デジタルデータと前記生体内の血管用閾値Ｅとの差が最も大きい位置を前記第２の測定位置として検出する、ことを特徴とする非侵襲生体情報測定装置。
【請求項２６】
請求項１８に記載の非侵襲生体情報測定装置において、前記信号比較手段が検出する前記第１の測定位置は、前記生体の表面からのデジタルデータに対応する位置である、ことを特徴とする非侵襲生体情報測定装置。
【請求項２７】
請求項１８に記載の非侵襲生体情報測定装置において、
前記信号比較手段が検出する前記第２の測定位置は、前記生体内の血管からのデジタルデータに対応する位置である、ことを特徴とする非侵襲生体情報測定装置。
【請求項２８】
請求項２１に記載の非侵襲生体情報測定装置において、
前記測定位置検出手段が前記デジタルデータと比較する前記生体の表面用閾値Ｄ及び前記生体内の血管用閾値Ｅは、それぞれ該デジタルデータに対する所定の振幅値である、
ことを特徴とする非侵襲生体情報測定装置。
【請求項２９】
請求項２１に記載の非侵襲生体情報測定装置において、
前記測定位置検出手段が前記デジタルデータと比較する前記生体の表面用閾値Ｄ及び前記生体内の血管用閾値Ｅは、それぞれ該検出信号に対する所定の傾きの値である、ことを特徴とする非侵襲生体情報測定装置。
【請求項３０】
請求項２１に記載の非侵襲生体情報測定装置において、
前記測定位置検出手段は、外部から書き込み可能な複数のレジスタを有し、該レジスタに書き込む値を変更することにより、前記生体の表面用閾値Ｄ及び前記生体内の血管用閾値Ｅを変更することが可能である、ことを特徴とする非侵襲生体情報測定装置。
【請求項３１】
請求項１９に記載の非侵襲生体情報測定装置において、
前記選択信号生成手段が出力する移動指示信号は、前記非侵襲生体情報測定装置の設置位置に有効な前記光音響検出手段が存在しないことを検出した結果、出力される、ことを特徴とする非侵襲生体情報測定装置。
【請求項３２】
請求項１９に記載の非侵襲生体情報測定装置において、
前記選択信号生成手段は、外部から書き込み可能な複数のレジスタを有し、該レジスタに書き込む値を変更することにより、前記第一領域閾値Ａ及び前記第二領域閾値Ｂ及び前記第三領域閾値Ｃを変更することが可能である、ことを特徴とする非侵襲生体情報測定装置。
【請求項３３】
請求項１７に記載の非侵襲生体情報測定装置において、
前記開始信号生成カウンタは、外部から書き込み可能なレジスタを有し、該レジスタに書き込む値を変更することにより、前記位置抽出用閾値Ｘを変更することが可能である、ことを特徴とする非侵襲生体情報測定装置。
【請求項３４】
生体の表面に光を照射して生体情報の特徴量を含んだ前記生体内からの光音響波信号を前記生体の表面から検出する非侵襲生体情報測定装置において、
少なくとも１つの光源と、
該光源の点灯タイミングを制御し、後述する増幅手段とＡ／Ｄ変換手段の起動信号を出力し、後述する検出手段指示信号に基づき有効な光音響検出手段に対する検出手段選択信号を後述する信号選択手段に出力する制御手段と、
該光源の照射光による生体内からの光音響波信号を検出し、検出信号を生成する複数の光音響検出手段と、
該光音響検出手段で生成された複数の検出信号から前記検出手段選択信号に応じて有効な検出信号を選択する信号選択手段と、
該信号選択手段より出力された有効検出信号をそれぞれ増幅する複数の増幅手段と、
該増幅手段で増幅された複数の有効検出信号をそれぞれＡ／Ｄ変換する複数のＡ／Ｄ変換手段と、
該Ａ／Ｄ変換された複数のデジタルデータから生体情報の特徴量を推定する特徴量推定手段と、
該特徴量推定手段により推定された生体情報の特徴量を表示する特徴量表示手段と、
前記起動信号に基づきカウントを開始し、該カウントした値が、位置測定開始の判断基準である位置抽出用閾値Ｘ以上のときに位置抽出信号を出力する開始信号生成カウンタと、
前記位置抽出信号を受信することにより、前記Ａ／Ｄ変換された複数のデジタルデータの第２の測定位置を検出し、前記位置抽出信号の出力タイミングから該第２の測定位置までの距離をそれぞれ測定し、該距離の差に応じて有効な光音響検出手段を選択するよう指示する検出手段指示信号を出力する信号比較手段と、
該信号比較手段から出力された移動指示信号を使用者に通知する移動指示手段と、を備え、光音響検出手段よりも少ない数の増幅手段、Ａ／Ｄ変換手段で測定回数を大きく増やすことなく特徴量を推定できる、ことを特徴とする非侵襲生体情報測定装置。
【請求項３５】
請求項３４に記載の非侵襲生体情報測定装置において、
前記信号比較手段は、前記Ａ／Ｄ変換手段から出力された複数の前記デジタルデータから第２の測定位置を検出し、前記位置抽出信号の出力タイミングと該第２の測定位置間の距離をそれぞれ測定し、該位置抽出信号の出力タイミングと該第２の測定位置間の距離の大きさを比較して場合分けを行い、さらに、それぞれの前記位置抽出信号の出力タイミングと該第２の測定位置間の距離の差を求めて、該前記位置抽出信号の出力タイミングと該第２の測定位置間の距離の差と有効な前記光音響検出手段が第一領域内であるか否かの判断基準である第一領域閾値Ａ、有効な前記光音響検出手段が第二領域内であるか否かの判断基準である第二領域閾値Ｂ、有効な前記光音響検出手段が第三領域内であるか否かの判断基準である第三領域閾値Ｃと、を比較し、その結果に応じて前記検出手段指示信号または前記移動指示信号を生成する、ことを特徴とする非侵襲生体情報測定装置。
【請求項３６】
請求項３４に記載の非侵襲生体情報測定装置において、
前記信号比較手段は、前記Ａ／Ｄ変換手段から出力された複数の前記デジタルデータに基づき前記第２の測定位置を検出するとともに前記位置抽出信号の出力タイミングと該第２の測定位置間の距離の測定終了を示す測定終了信号を出力する測定位置検出手段と、
複数の前記デジタルデータに対し、前記位置抽出信号の出力タイミングでカウントを開始し、前記測定終了信号に基づきカウントを終了する複数の距離測定カウンタと、
該距離測定カウンタがカウントした値を比較した回数を記憶する比較回数記憶手段を有し、
前記カウントした値の差と閾値とを比較することにより、前記カウントした値の差が当てはまった閾値に対応する領域の前記光音響検出手段を選択するよう指示前記検出手段指示信号を生成し、さらに、前記比較回数記憶手段の記憶回数が２回以上のときに、前記カウントした値の差が閾値に当てはまらない場合には前記移動指示信号を生成する選択信号生成手段とを有する、ことを特徴とする非侵襲生体情報測定装置。
【請求項３７】
請求項３６に記載の非侵襲生体情報測定装置において、
前記選択信号生成手段が、前記距離測定カウンタがカウントした値の差と比較する閾値は、有効な前記光音響検出手段が第一領域内であるか否かの判断基準である第一領域閾値Ａ、有効な前記光音響検出手段が第二領域内であるか否かの判断基準である第二領域閾値Ｂ、有効な前記光音響検出手段が第三領域内であるか否かの判断基準である第三領域閾値Ｃ、であり、前記選択信号生成手段は、複数の前記距離測定カウンタがカウントした値の差と前記第一領域閾値Ａまたは前記第二領域閾値Ｂまたは前記第三領域閾値Ｃとを比較した結果に応じて前記検出手段指示信号または前記移動指示信号を生成する、ことを特徴とする非侵襲生体情報測定装置。
【請求項３８】
請求項３６に記載の非侵襲生体情報測定装置において、
前記測定位置検出手段は、前記位置抽出信号に基づき、前記Ａ／Ｄ変換手段から出力されたデジタルデータと該デジタルデータが生体内の血管においてエネルギー変換された光音響信号に対応するか否かの判断基準である生体内の血管用閾値Ｅとを比較することで前記第２の測定位置を検出するとともに、前記位置抽出信号の出力タイミングと第２の測定位置間の距離の測定終了を示す測定終了信号の出力を開始する、ことを特徴とする非侵襲生体情報測定装置。
【請求項３９】
請求項３８に記載の非侵襲生体情報測定装置において、
前記デジタルデータが前記生体内の血管用閾値Ｅより高い値から低い値に変化する位置を前記第２の測定位置として検出するとともに、前記測定終了信号の出力を開始し、前記デジタルデータが前記生体内の血管用閾値Ｅより低い値から高い値に変化する位置において前記測定終了信号の出力を終了する、ことを特徴とする非侵襲生体情報測定装置。
【請求項４０】
請求項３４に記載の非侵襲生体情報測定装置において、
前記測定位置検出手段は、ローパスフィルタを有し、該ローパスフィルタにより、前記測定終了信号の出力時間が短いときに、該測定終了信号を無効にすることが可能である、
ことを特徴とする非侵襲生体情報測定装置。
【請求項４１】
請求項４０に記載の非侵襲生体情報測定装置において、
前記ローパスフィルタは、外部から書き込み可能なレジスタを有し、該レジスタの値を変更することにより、前記測定終了信号を無効にする時間を変更することが可能である、
ことを特徴とする非侵襲生体情報測定装置。
【請求項４２】
請求項３６に記載の非侵襲生体情報測定装置において、
前記測定位置検出手段は、ピーク位置抽出手段を有し、該ピーク位置抽出手段は、前記検出信号と前記生体内の血管用閾値Ｅとを比較し、前記検出信号と前記生体内の血管用閾値Ｅとの差が最も大きい位置を前記第２の測定位置として検出する、ことを特徴とする非侵襲生体情報測定装置。
【請求項４３】
請求項３４に記載の非侵襲生体情報測定装置において、
前記信号比較手段が測定する前記第２の測定位置は、前記生体内の血管からの光音響波信号から生成した検出信号に対応する位置である、ことを特徴とする非侵襲生体情報測定装置。
【請求項４４】
請求項３６に記載の非侵襲生体情報測定装置において、
前記測定位置検出手段が前記デジタルデータと比較する前記生体内の血管用閾値Ｅは、
前記検出信号に対する所定の振幅値である、ことを特徴とする非侵襲生体情報測定装置。
【請求項４５】
請求項３６に記載の非侵襲生体情報測定装置において、
前記測定位置検出手段が前記デジタルデータと比較する前記生体内の血管用閾値Ｅは、
前記検出信号に対する所定の傾きの値である、ことを特徴とする非侵襲生体情報測定装置。
【請求項４６】
請求項３６に記載の非侵襲生体情報測定装置において、
前記測定位置検出手段は、外部から書き込み可能なレジスタを有し、該レジスタに書き込む値を変更することにより、前記生体内の血管用閾値Ｅを変更することが可能である、
ことを特徴とする非侵襲生体情報測定装置。
【請求項４７】
請求項３７記載の非侵襲生体情報測定装置において、
前記選択信号生成手段が出力する移動指示信号は、前記非侵襲生体情報測定装置の設置位置に有効な前記光音響検出手段が存在しないことを検出した結果、出力される、ことを特徴とする非侵襲生体情報測定装置。
【請求項４８】
請求項３６に記載の非侵襲生体情報測定装置において、
前記選択信号生成手段は、外部から書き込み可能な複数のレジスタを有し、該レジスタに書き込む値を変更することにより、前記第一領域閾値Ａ及び前記第二領域閾値Ｂ及び前記第三領域閾値Ｃを変更することが可能である、ことを特徴とする非侵襲生体情報測定装置。
【請求項４９】
請求項３４に記載の非侵襲生体情報測定装置において、
前記開始信号生成カウンタは、外部から書き込み可能なレジスタを有し、該レジスタに書き込む値を変更することにより、前記位置抽出用閾値Ｘを変更することが可能である、ことを特徴とする非侵襲生体情報測定装置。
【発明の詳細な説明】
【技術分野】
【０００１】
本発明は、生体を侵襲することなく生体情報の測定が可能な非侵襲生体情報測定装置に関し、より詳細には、生体内からの光音響波信号に基づき、光音響検出手段よりも少ない数の増幅手段、Ａ／Ｄ変換手段で測定回数を大きく増やすことなく特徴量を推定することが可能な非侵襲生体情報測定装置に関する。
【背景技術】
【０００２】
代表的な生活習慣病である糖尿病の患者数は世界的に増加傾向にある。糖尿病患者は、糖尿病による合併症を抑制し、患者の生活の質を向上するために、日常的な血糖コントロールが必要である。そのため、患者は医師の指導のもと、毎日定期的に血糖値を測定しなければならない。
【０００３】
血糖値を測定する代表的な方法としては、患者の指を刺して血液を採取し血糖値を測定する侵襲型の血糖測定装置がある。侵襲型の血糖測定装置では、指を刺して血液を採取する際に手間と痛みを伴うこと、さらに感染症などの危険が伴うことから、血液の採取を必要としない、非侵襲型の血糖測定装置が既に提案されている。
【０００４】
この非侵襲型の血糖測定装置の一例として、光音響効果を用いた「生物学的測定システム」が提案されている（例えば、特許文献１）。
【０００５】
光音響効果を用いた「生物学的測定システム」は、グルコースに吸収される波長の光を、生物学的測定システムから指先のような生体の一部分に照射し、照射された光は生体内の比較的小さい焦点領域に集光される。また、一般的に、集光された光はグルコースに吸収されて、焦点領域と隣接する領域の組織内で運動エネルギーに変換される。
【０００６】
組織内で変換された運動エネルギーは、吸収組織領域の温度及び圧力を増大させ、音波を生成する。この音波を、以下「光音響波信号」と表記する。光音響波信号は吸収組織領域から放射され、生物学的測定システムが備える音響センサによって検出される。音響センサは生体表面と接するよう装着される。光音響波信号の強度は、吸収組織領域内のグルコースの量の関数であり、センサによって計測された強度は血糖値を調べるために使用される。
【０００７】
また、別の非侵襲型の生体情報測定装置の一例として、「生理学的センサシステム」が提案されている。多くの測定電極で検出した信号を増幅し、信号変換モジュールでノイズ除去やＡ／Ｄ変換、さらに必要な信号を選択した後、信号伝送モジュールが後段の回路に信号を出力する。多くの測定電極で検出した信号を用いて、生体情報を取得するものである（例えば、特許文献２）。
【特許文献１】特表２００１−５２６５５７号公報
【特許文献２】特開２００２−１３６５０２号公報
【発明の開示】
【発明が解決しようとする課題】
【０００８】
しかしながら、上記特許文献１、上記特許文献２に記載された技術では、生体から得られる光音響波は非常に微弱であり、その微弱な信号の変化から特徴量を推定できる信号に増幅するための増幅手段が必要である。多くの測定電極を有する場合には、それぞれに増幅手段やＡ／Ｄ変換が必要となる。そのため、回路の大型化や大きな消費電力を必要とし、ポータブル製品としては不向きであるという課題を有していた。
【０００９】
本発明は、従来の課題を解決するもので、低消費電力で、光音響検出手段よりも少ない数の増幅手段、Ａ／Ｄ変換手段で測定回数を大きく増やすことなく特徴量を推定することが可能な非侵襲生体情報測定装置を提供することを目的とする。
【課題を解決するための手段】
【００１０】
従来の課題を解決するために、本発明の非侵襲生体情報測定装置は、生体の表面に光を照射して生体情報の特徴量を含んだ前記生体内からの光音響波信号を前記生体の表面から検出する非侵襲生体情報測定装置において、少なくとも１つの光源と、該光源の点灯タイミングを制御し、後述する増幅手段とＡ／Ｄ変換手段の起動信号を出力し、後述する検出手段指示信号に基づき有効な光音響検出手段に対する検出手段選択信号を後述する信号選択手段に出力する制御手段と、該光源の照射光による生体内からの光音響波信号を検出し、検出信号を生成する複数の光音響検出手段と、該光音響検出手段で生成された複数の検出信号から前記検出手段選択信号に応じて有効な検出信号を選択する信号選択手段と、該信号選択手段より出力された有効な検出信号をそれぞれ増幅する複数の増幅手段と、該増幅手段で増幅された複数の有効検出信号をそれぞれＡ／Ｄ変換する複数のＡ／Ｄ変換手段と、該Ａ／Ｄ変換された複数のデジタルデータから生体情報の特徴量を推定する特徴量推定手段と、該特徴量推定手段により推定された生体情報の特徴量を表示する特徴量表示手段と、前記Ａ／Ｄ変換された複数のデジタルデータに基づき生体の表面と生体内の血管との距離をそれぞれ測定し、該距離の差に応じて有効な光音響検出手段を選択するための検出手段指示信号を出力する信号比較手段と、該信号比較手段から出力された移動指示信号を外部に通知する移動指示手段と、を備え、光音響検出手段よりも少ない数の増幅手段、Ａ／Ｄ変換手段で測定回数を大きく増やすことなく特徴量を推定できる、ことを特徴とするものである。
【００１１】
さらに、非侵襲生体情報測定装置において、前記信号比較手段は、前記Ａ／Ｄ変換手段から出力された複数の前記デジタルデータから第１の測定位置と第２の測定位置とを検出し、該第１，第２の測定位置間の距離をそれぞれ測定し、該第１，第２の測定位置間の距離の大きさを比較して場合分けを行い、さらに、それぞれの第１，第２の測定位置間の距離の差を求めて、該第１，第２の測定位置間の距離の差と有効な前記光音響検出手段が第一領域内であるか否かの判断基準である第一領域閾値Ａ、有効な前記光音響検出手段が第二領域内であるか否かの判断基準である第二領域閾値Ｂ、有効な前記光音響検出手段が第三領域内であるか否かの判断基準である第三領域閾値Ｃと、を比較し、その結果に応じて前記検出手段指示信号または前記移動指示信号を生成する、ことを特徴とするものである。
【００１２】
さらに、非侵襲生体情報測定装置において、前記信号比較手段は、前記Ａ／Ｄ変換手段から出力された複数の前記デジタルデータに基づき前記第１，第２の測定位置を検出するとともに該第１，第２の測定位置間の距離の測定開始及び測定終了を示す測定開始信号及び測定終了信号を出力する測定位置検出手段と、複数の前記デジタルデータに対し、前記測定開始信号に基づきカウントを開始し、前記測定終了信号に基づきカウントを終了する複数の距離測定カウンタと、該距離測定カウンタがカウントした値を比較した回数を記憶する比較回数記憶手段を有し、前記カウントした値の差と閾値とを比較することにより、前記カウントした値の差が当てはまった閾値に対応する領域の前記光音響検出手段を選択するよう指示する前記検出手段指示信号を生成し、さらに、前記比較回数記憶手段の記憶回数が２回以上のときに、前記カウントした値の差が閾値に当てはまらない場合には前記移動指示信号を生成する選択信号生成手段とを有する、ことを特徴とするものである。
【００１３】
さらに、非侵襲生体情報測定装置において、前記選択信号生成手段が、前記距離測定カウンタがカウントした値の差と比較する閾値は、有効な前記光音響検出手段が第一領域内であるか否かの判断基準である第一領域閾値Ａ、有効な前記光音響検出手段が第二領域内であるか否かの判断基準である第二領域閾値Ｂ、有効な前記光音響検出手段が第三領域内であるか否かの判断基準である第三領域閾値Ｃ、であり、前記選択信号生成手段は、複数の前記距離測定カウンタがカウントした値の差と前記第一領域閾値Ａさらには前記第二領域閾値Ｂさらには前記第三領域閾値Ｃとを比較した結果に応じて前記検出手段指示信号さらには前記移動指示信号を生成する、ことを特徴とするものである。
【００１４】
さらに、非侵襲生体情報測定装置において、前記測定位置検出手段は、前記Ａ／Ｄ変換手段から出力されたデジタルデータと、該デジタルデータが生体の表面においてエネルギー変換された光音響信号に対応するか否かの判断基準である生体の表面用閾値Ｄとを比較することで前記第１の測定位置を検出するとともに、前記第１，第２の測定位置間の距離の測定開始を示す測定開始信号の出力を開始し、その後、前記Ａ／Ｄ変換手段から出力されたデジタルデータと該デジタルデータが生体内の血管においてエネルギー変換された光音響信号に対応するか否かの判断基準である生体内の血管用閾値Ｅとを比較することで前記第２の測定位置を検出するとともに、前記第１，第２の測定位置間の距離の測定終了を示す測定終了信号の出力を開始する、ことを特徴とするものである。
【００１５】
さらに、非侵襲生体情報測定装置において、前記Ａ／Ｄ変換手段から出力されたデジタルデータが前記生体の表面用閾値Ｄより高い値から低い値に変化する位置を前記第１の測定位置として検出するとともに、前記測定開始信号の出力を開始し、前記デジタルデータが前記生体の表面用閾値Ｄより低い値から高い値に変化する位置において前記測定開始信号の出力を終了し、その後、前記デジタルデータが前記生体内の血管用閾値Ｅより高い値から低い値に変化する位置を前記第２の測定位置として検出するとともに、前記測定終了信号の出力を開始し、前記デジタルデータが前記生体内の血管用閾値Ｅより低い値から高い値に変化する位置において前記測定終了信号の出力を終了する、ことを特徴とするものである。
【００１６】
さらに、非侵襲生体情報測定装置において、前記測定位置検出手段は、ローパスフィルタを有し、該ローパスフィルタにより、前記測定開始信号及び前記測定終了信号の出力時間が短いときに、該測定開始信号及び測定終了信号を無効にすることが可能である、ことを特徴とするものである。
【００１７】
さらに、非侵襲生体情報測定装置において、前記ローパスフィルタは、外部から書き込み可能な複数のレジスタを有し、該レジスタに書き込む値を変更することにより、前記測定開始信号及び前記測定終了信号を無効にする時間を変更することが可能である、ことを特徴とするものである。
【００１８】
さらに、非侵襲生体情報測定装置において、前記測定位置検出手段は、ピーク位置抽出手段を有し、該ピーク位置抽出手段は、前記デジタルデータと前記生体の表面用閾値Ｄとを比較し、前記デジタルデータと前記生体の表面用閾値Ｄとの差が最も大きい位置を前記第１の測定位置として検出し、その後、前記デジタルデータと前記生体内の血管用閾値Ｅとを比較し、前記デジタルデータと前記生体内の血管用閾値Ｅとの差が最も大きい位置を前記第２の測定位置として検出する、ことを特徴とするものである。
【００１９】
さらに、非侵襲生体情報測定装置において、前記信号比較手段が検出する前記第１の測定位置は、前記生体の表面からのデジタルデータに対応する位置である、ことを特徴とするものである。
【００２０】
さらに、非侵襲生体情報測定装置において、前記信号比較手段が検出する前記第２の測定位置は、前記生体内の血管からのデジタルデータに対応する位置である、ことを特徴とするものである。
【００２１】
さらに、非侵襲生体情報測定装置において、前記測定位置検出手段が前記デジタルデータと比較する前記生体の表面用閾値Ｄ及び前記生体内の血管用閾値Ｅは、それぞれ該デジタルデータに対する所定の振幅値である、ことを特徴とするものである。
【００２２】
さらに、非侵襲生体情報測定装置において、前記測定位置検出手段が前記デジタルデータと比較する前記生体の表面用閾値Ｄ及び前記生体内の血管用閾値Ｅは、それぞれ該検出信号に対する所定の傾きの値である、ことを特徴とするものである。
【００２３】
さらに、非侵襲生体情報測定装置において、前記測定位置検出手段は、外部から書き込み可能な複数のレジスタを有し、該レジスタに書き込む値を変更することにより、前記生体の表面用閾値Ｄ及び前記生体内の血管用閾値Ｅを変更することが可能である、ことを特徴とするものである。
【００２４】
さらに、非侵襲生体情報測定装置において、前記選択信号生成手段が出力する移動指示信号は、前記非侵襲生体情報測定装置の設置位置に有効な前記光音響検出手段が存在しないことを検出した結果、出力される、ことを特徴とするものである。
【００２５】
さらに、非侵襲生体情報測定装置において、前記選択信号生成手段は、外部から書き込み可能な複数のレジスタを有し、該レジスタに書き込む値を変更することにより、前記第一領域閾値Ａ及び前記第二領域閾値Ｂ及び前記第三領域閾値Ｃを変更することが可能である、ことを特徴とするものである。
【００２６】
また、本発明の非侵襲生体情報測定装置は、生体の表面に光を照射して生体情報の特徴量を含んだ前記生体内からの光音響波信号を前記生体の表面から検出する非侵襲生体情報測定装置において、少なくとも１つの光源と、該光源の点灯タイミングを制御し、後述する増幅手段とＡ／Ｄ変換手段の起動信号を出力し、後述する検出手段指示信号に基づき有効な光音響検出手段に対する検出手段選択信号を後述する信号選択手段に出力する制御手段と、該光源の照射光による生体内からの光音響波信号を検出し、検出信号を生成する複数の光音響検出手段と、該光音響検出手段で生成された複数の検出信号から前記検出手段選択信号に応じて有効な検出信号を選択する信号選択手段と、該信号選択手段より出力された有効検出信号をそれぞれ増幅する複数の増幅手段と、該増幅手段で増幅された複数の有効検出信号をそれぞれＡ／Ｄ変換する複数のＡ／Ｄ変換手段と、該Ａ／Ｄ変換された複数のデジタルデータから生体情報の特徴量を推定する特徴量推定手段と、該特徴量推定手段により推定された生体情報の特徴量を表示する特徴量表示手段と、前記起動信号に基づきカウントを開始し、該カウントした値が、位置測定開始の判断基準である位置抽出用閾値Ｘ以上のときに位置抽出信号を出力する開始信号生成カウンタと、前記位置抽出信号を受信することにより、前記Ａ／Ｄ変換された複数のデジタルデータに基づき生体の表面と生体内の血管との距離をそれぞれ測定し、該距離の差に応じて有効な光音響検出手段を選択するよう指示する検出手段指示信号を出力する信号比較手段と、該信号比較手段から出力された移動指示信号を使用者に通知する移動指示手段と、を備え、光音響検出手段よりも少ない数の増幅手段、Ａ／Ｄ変換手段で測定回数を大きく増やすことなく特徴量を推定できる、ことを特徴とするものである。
【００２７】
さらに、非侵襲生体情報測定装置において、前記信号比較手段は、前記Ａ／Ｄ変換手段から出力された複数の前記デジタルデータから第１の測定位置と第２の測定位置とを検出し、該第１，第２の測定位置間の距離をそれぞれ測定し、該第１，第２の測定位置間の距離の大きさを比較して場合分けを行い、さらに、それぞれの第１，第２の測定位置間の距離の差を求めて、該第１，第２の測定位置間の距離の差と有効な前記光音響検出手段が第一領域内であるか否かの判断基準である第一領域閾値Ａ、有効な前記光音響検出手段が第二領域内であるか否かの判断基準である第二領域閾値Ｂ、有効な前記光音響検出手段が第三領域内であるか否かの判断基準である第三領域閾値Ｃと、を比較し、その結果に応じて前記検出手段指示信号または前記移動指示信号を生成する、ことを特徴とするものである。
【００２８】
さらに、非侵襲生体情報測定装置において、前記信号比較手段は、前記Ａ／Ｄ変換手段から出力された複数の前記デジタルデータに基づき前記第１，第２の測定位置を検出するとともに該第１，第２の測定位置間の距離の測定開始及び測定終了を示す測定開始信号及び測定終了信号を出力する測定位置検出手段と、複数の前記デジタルデータに対し、前記測定開始信号に基づきカウントを開始し、前記測定終了信号に基づきカウントを終了する複数の距離測定カウンタと、該距離測定カウンタがカウントした値を比較した回数を記憶する比較回数記憶手段を有し、前記カウントした値の差と閾値とを比較することにより、前記カウントした値の差が当てはまった閾値に対応する領域の前記光音響検出手段を選択するよう指示する前記検出手段指示信号を生成し、さらに、前記比較回数記憶手段の記憶回数が２回以上のときに、前記カウントした値の差が閾値に当てはまらない場合には前記移動指示信号を生成する選択信号生成手段とを有する、ことを特徴とするものである。
【００２９】
さらに、非侵襲生体情報測定装置において、前記選択信号生成手段が、前記距離測定カウンタがカウントした値の差と比較する閾値は、有効な前記光音響検出手段が第一領域内であるか否かの判断基準である第一領域閾値Ａ、有効な前記光音響検出手段が第二領域内であるか否かの判断基準である第二領域閾値Ｂ、有効な前記光音響検出手段が第三領域内であるか否かの判断基準である第三領域閾値Ｃ、であり、前記選択信号生成手段は、複数の前記距離測定カウンタがカウントした値の差と前記第一領域閾値Ａまたは前記第二領域閾値Ｂまたは前記第三領域閾値Ｃとを比較した結果に応じて前記検出手段指示信号または前記移動指示信号を生成する、ことを特徴とするものである。
【００３０】
さらに、非侵襲生体情報測定装置において、前記測定位置検出手段は、前記Ａ／Ｄ変換手段から出力されたデジタルデータと、該デジタルデータが生体の表面においてエネルギー変換された光音響信号に対応するか否かの判断基準である生体の表面用閾値Ｄとを比較することで前記第１の測定位置を検出するとともに、前記第１，第２の測定位置間の距離の測定開始を示す測定開始信号の出力を開始し、その後、前記Ａ／Ｄ変換手段から出力されたデジタルデータと該デジタルデータが生体内の血管においてエネルギー変換された光音響信号に対応するか否かの判断基準である生体内の血管用閾値Ｅとを比較することで前記第２の測定位置を検出するとともに、前記第１，第２の測定位置間の距離の測定終了を示す測定終了信号の出力を開始する、ことを特徴とするものである。
【００３１】
さらに、非侵襲生体情報測定装置において、前記Ａ／Ｄ変換手段から出力されたデジタルデータが前記生体の表面用閾値Ｄより高い値から低い値に変化する位置を前記第１の測定位置として検出するとともに、前記測定開始信号の出力を開始し、前記デジタルデータが前記生体の表面用閾値Ｄより低い値から高い値に変化する位置において前記測定開始信号の出力を終了し、その後、前記デジタルデータが前記生体内の血管用閾値Ｅより高い値から低い値に変化する位置を前記第２の測定位置として検出するとともに、前記測定終了信号の出力を開始し、前記デジタルデータが前記生体内の血管用閾値Ｅより低い値から高い値に変化する位置において前記測定終了信号の出力を終了する、ことを特徴とするものである。
【００３２】
さらに、非侵襲生体情報測定装置において、前記測定位置検出手段は、ローパスフィルタを有し、該ローパスフィルタにより、前記測定開始信号及び前記測定終了信号の出力時間が短いときに、該測定開始信号及び測定終了信号を無効にすることが可能である、ことを特徴とするものである。
【００３３】
さらに、非侵襲生体情報測定装置において、前記ローパスフィルタは、外部から書き込み可能な複数のレジスタを有し、該レジスタに書き込む値を変更することにより、前記測定開始信号及び前記測定終了信号を無効にする時間を変更することが可能である、ことを特徴とするものである。
【００３４】
さらに、非侵襲生体情報測定装置において、前記測定位置検出手段は、ピーク位置抽出手段を有し、該ピーク位置抽出手段は、前記デジタルデータと前記生体の表面用閾値Ｄとを比較し、前記デジタルデータと前記生体の表面用閾値Ｄとの差が最も大きい位置を前記第１の測定位置として検出し、その後、前記デジタルデータと前記生体内の血管用閾値Ｅとを比較し、前記デジタルデータと前記生体内の血管用閾値Ｅとの差が最も大きい位置を前記第２の測定位置として検出する、ことを特徴とするものである。
【００３５】
さらに、非侵襲生体情報測定装置において、前記信号比較手段が検出する前記第１の測定位置は、前記生体の表面からのデジタルデータに対応する位置である、ことを特徴とするものである。
【００３６】
さらに、非侵襲生体情報測定装置において、前記信号比較手段が検出する前記第２の測定位置は、前記生体内の血管からのデジタルデータに対応する位置である、ことを特徴とするものである。
【００３７】
さらに、非侵襲生体情報測定装置において、前記測定位置検出手段が前記デジタルデータと比較する前記生体の表面用閾値Ｄ及び前記生体内の血管用閾値Ｅは、それぞれ該デジタルデータに対する所定の振幅値である、ことを特徴とするものである。
【００３８】
さらに、非侵襲生体情報測定装置において、前記測定位置検出手段が前記デジタルデータと比較する前記生体の表面用閾値Ｄ及び前記生体内の血管用閾値Ｅは、それぞれ該検出信号に対する所定の傾きの値である、ことを特徴とするものである。
【００３９】
さらに、非侵襲生体情報測定装置において、前記測定位置検出手段は、外部から書き込み可能な複数のレジスタを有し、該レジスタに書き込む値を変更することにより、前記生体の表面用閾値Ｄ及び前記生体内の血管用閾値Ｅを変更することが可能である、ことを特徴とするものである。
【００４０】
さらに、非侵襲生体情報測定装置において、前記選択信号生成手段が出力する移動指示信号は、前記非侵襲生体情報測定装置の設置位置に有効な前記光音響検出手段が存在しないことを検出した結果、出力される、ことを特徴とするものである。
【００４１】
さらに、非侵襲生体情報測定装置において、前記選択信号生成手段は、外部から書き込み可能な複数のレジスタを有し、該レジスタに書き込む値を変更することにより、前記第一領域閾値Ａ及び前記第二領域閾値Ｂ及び前記第三領域閾値Ｃを変更することが可能である、ことを特徴とするものである。
【００４２】
さらに、非侵襲生体情報測定装置において、前記開始信号生成カウンタは、外部から書き込み可能なレジスタを有し、該レジスタに書き込む値を変更することにより、前記位置抽出用閾値Ｘを変更することが可能である、ことを特徴とするものである。
【００４３】
また、本発明の非侵襲生体情報測定装置は、生体の表面に光を照射して生体情報の特徴量を含んだ前記生体内からの光音響波信号を前記生体の表面から検出する非侵襲生体情報測定装置において、少なくとも１つの光源と、該光源の点灯タイミングを制御し、後述する増幅手段とＡ／Ｄ変換手段の起動信号を出力し、後述する検出手段指示信号に基づき有効な光音響検出手段に対する検出手段選択信号を後述する信号選択手段に出力する制御手段と、該光源の照射光による生体内からの光音響波信号を検出し、検出信号を生成する複数の光音響検出手段と、該光音響検出手段で生成された複数の検出信号から前記検出手段選択信号に応じて有効な検出信号を選択する信号選択手段と、該信号選択手段より出力された有効検出信号をそれぞれ増幅する複数の増幅手段と、該増幅手段で増幅された複数の有効検出信号をそれぞれＡ／Ｄ変換する複数のＡ／Ｄ変換手段と、該Ａ／Ｄ変換された複数のデジタルデータから生体情報の特徴量を推定する特徴量推定手段と、該特徴量推定手段により推定された生体情報の特徴量を表示する特徴量表示手段と、前記起動信号に基づきカウントを開始し、該カウントした値が、位置測定開始の判断基準である位置抽出用閾値Ｘ以上のときに位置抽出信号を出力する開始信号生成カウンタと、前記位置抽出信号を受信することにより、前記Ａ／Ｄ変換された複数のデジタルデータの第２の測定位置を検出し、前記位置抽出信号の出力タイミングから該第２の測定位置までの距離をそれぞれ測定し、該距離の差に応じて有効な光音響検出手段を選択するよう指示する検出手段指示信号を出力する信号比較手段と、該信号比較手段から出力された移動指示信号を使用者に通知する移動指示手段と、を備え、光音響検出手段よりも少ない数の増幅手段、Ａ／Ｄ変換手段で測定回数を大きく増やすことなく特徴量を推定できる、ことを特徴とするものである。
【００４４】
さらに、非侵襲生体情報測定装置において、前記信号比較手段は、前記Ａ／Ｄ変換手段から出力された複数の前記デジタルデータから第２の測定位置を検出し、前記位置抽出信号の出力タイミングと該第２の測定位置間の距離をそれぞれ測定し、該位置抽出信号の出力タイミングと該第２の測定位置間の距離の大きさを比較して場合分けを行い、さらに、それぞれの前記位置抽出信号の出力タイミングと該第２の測定位置間の距離の差を求めて、該前記位置抽出信号の出力タイミングと該第２の測定位置間の距離の差と有効な前記光音響検出手段が第一領域内であるか否かの判断基準である第一領域閾値Ａ、有効な前記光音響検出手段が第二領域内であるか否かの判断基準である第二領域閾値Ｂ、有効な前記光音響検出手段が第三領域内であるか否かの判断基準である第三領域閾値Ｃと、を比較し、その結果に応じて前記検出手段指示信号または前記移動指示信号を生成する、ことを特徴とするものである。
【００４５】
さらに、非侵襲生体情報測定装置において、前記信号比較手段は、前記Ａ／Ｄ変換手段から出力された複数の前記デジタルデータに基づき前記第２の測定位置を検出するとともに前記位置抽出信号の出力タイミングと該第２の測定位置間の距離の測定終了を示す測定終了信号を出力する測定位置検出手段と、複数の前記デジタルデータに対し、前記位置抽出信号の出力タイミングでカウントを開始し、前記測定終了信号に基づきカウントを終了する複数の距離測定カウンタと、該距離測定カウンタがカウントした値を比較した回数を記憶する比較回数記憶手段を有し、前記カウントした値の差と閾値とを比較することにより、前記カウントした値の差が当てはまった閾値に対応する領域の前記光音響検出手段を選択するよう指示前記検出手段指示信号を生成し、さらに、前記比較回数記憶手段の記憶回数が２回以上のときに、前記カウントした値の差が閾値に当てはまらない場合には前記移動指示信号を生成する選択信号生成手段とを有する、ことを特徴とするものである。
【００４６】
さらに、非侵襲生体情報測定装置において、前記選択信号生成手段が、前記距離測定カウンタがカウントした値の差と比較する閾値は、有効な前記光音響検出手段が第一領域内であるか否かの判断基準である第一領域閾値Ａ、有効な前記光音響検出手段が第二領域内であるか否かの判断基準である第二領域閾値Ｂ、有効な前記光音響検出手段が第三領域内であるか否かの判断基準である第三領域閾値Ｃ、であり、前記選択信号生成手段は、複数の前記距離測定カウンタがカウントした値の差と前記第一領域閾値Ａまたは前記第二領域閾値Ｂまたは前記第三領域閾値Ｃとを比較した結果に応じて前記検出手段指示信号または前記移動指示信号を生成する、ことを特徴とするものである。
【００４７】
さらに、非侵襲生体情報測定装置において、前記測定位置検出手段は、前記位置抽出信号に基づき、前記Ａ／Ｄ変換手段から出力されたデジタルデータと該デジタルデータが生体内の血管においてエネルギー変換された光音響信号に対応するか否かの判断基準である生体内の血管用閾値Ｅとを比較することで前記第２の測定位置を検出するとともに、前記位置抽出信号の出力タイミングと第２の測定位置間の距離の測定終了を示す測定終了信号の出力を開始する、ことを特徴とするものである。
【００４８】
さらに、非侵襲生体情報測定装置において、前記デジタルデータが前記生体内の血管用閾値Ｅより高い値から低い値に変化する位置を前記第２の測定位置として検出するとともに、前記測定終了信号の出力を開始し、前記デジタルデータが前記生体内の血管用閾値Ｅより低い値から高い値に変化する位置において前記測定終了信号の出力を終了する、ことを特徴とするものである。
【００４９】
さらに、非侵襲生体情報測定装置において、前記測定位置検出手段は、ローパスフィルタを有し、該ローパスフィルタにより、前記測定終了信号の出力時間が短いときに、該測定終了信号を無効にすることが可能である、ことを特徴とするものである。
【００５０】
さらに、非侵襲生体情報測定装置において、前記ローパスフィルタは、外部から書き込み可能なレジスタを有し、該レジスタの値を変更することにより、前記測定終了信号を無効にする時間を変更することが可能である、ことを特徴とするものである。
【００５１】
さらに、非侵襲生体情報測定装置において、前記測定位置検出手段は、ピーク位置抽出手段を有し、該ピーク位置抽出手段は、前記検出信号と前記生体内の血管用閾値Ｅとを比較し、前記検出信号と前記生体内の血管用閾値Ｅとの差が最も大きい位置を前記第２の測定位置として検出する、ことを特徴とするものである。
【００５２】
さらに、非侵襲生体情報測定装置において、前記信号比較手段が測定する前記第２の測定位置は、前記生体内の血管からの光音響波信号から生成した検出信号に対応する位置である、ことを特徴とするものである。
【００５３】
さらに、非侵襲生体情報測定装置において、前記測定位置検出手段が前記デジタルデータと比較する前記生体内の血管用閾値Ｅは、前記検出信号に対する所定の振幅値である、ことを特徴とするものである。
【００５４】
さらに、非侵襲生体情報測定装置において、前記測定位置検出手段が前記デジタルデータと比較する前記生体内の血管用閾値Ｅは、前記検出信号に対する所定の傾きの値である、ことを特徴とするものである。
【００５５】
さらに、非侵襲生体情報測定装置において、前記測定位置検出手段は、外部から書き込み可能なレジスタを有し、該レジスタに書き込む値を変更することにより、前記生体内の血管用閾値Ｅを変更することが可能である、ことを特徴とするものである。
【００５６】
さらに、非侵襲生体情報測定装置において、前記選択信号生成手段が出力する移動指示信号は、前記非侵襲生体情報測定装置の設置位置に有効な前記光音響検出手段が存在しないことを検出した結果、出力される、ことを特徴とするものである。
【００５７】
さらに、非侵襲生体情報測定装置において、前記選択信号生成手段は、外部から書き込み可能な複数のレジスタを有し、該レジスタに書き込む値を変更することにより、前記第一領域閾値Ａ及び前記第二領域閾値Ｂ及び前記第三領域閾値Ｃを変更することが可能である、ことを特徴とするものである。
【００５８】
さらに、非侵襲生体情報測定装置において、前記開始信号生成カウンタは、外部から書き込み可能なレジスタを有し、該レジスタに書き込む値を変更することにより、前記位置抽出用閾値Ｘを変更することが可能である、ことを特徴とするものである。
【発明の効果】
【００５９】
本発明の非侵襲生体情報測定装置によれば、非侵襲生体情報測定装置を生体に装着し光を生体に照射した後、生体から戻ってきた光音響波信号から検出した測定位置間の距離の差から、有効な光音響検出手段が存在する領域を測定装置自体で判定するようにしたので、装置を大型化することなく、低消費電力の非侵襲生体情報測定装置を実現することができる。このため、複数の光音響検出手段のうち、特徴量を推定するために必要な光音響検出手段の個数分の増幅手段、Ａ／Ｄ変換手段を装置に備えるだけで良い。
【発明を実施するための最良の形態】
【００６０】
以下に、本発明の非侵襲生体情報測定装置の実施の形態を図面とともに詳細に説明する。
【００６１】
（実施の形態１）
本発明の実施の形態１において、非侵襲生体情報測定装置は非侵襲血糖測定装置であることを想定している。
【００６２】
図１は、本発明の実施の形態１におけるシステム構成を示す図である。図１において、１０１は非侵襲血糖測定装置、１０２は生体の表面、１０３は照射光、１０４は血管、１０５は光音響波信号である。非侵襲血糖測定装置１０１は、これを生体の表面１０２に接するように装着し、非侵襲血糖測定装置１０１が照射する照射光１０３を生体に入射させる。照射光１０３は生体内を伝播し、血管１０４内を流れる血液中のグルコースによって吸収され、光音響波信号１０５が生成される。非侵襲血糖測定装置１０１は血管１０４内のグルコースにより生成された光音響波信号１０５を検出し、生体情報の特徴量である、血糖値を推定する。
【００６３】
図２は、本発明の実施の形態１による非侵襲血糖測定装置１０１のブロック構成を示す図である。図２において、２０１は生体の表面１０２から光を照射する光源、２０２は光源２０１の点灯タイミングを制御し、複数の増幅手段２０４とＡ／Ｄ変換手段２０５の起動信号１２を出力し、信号比較手段２０９からの検出手段指示信号１６に基づき有効な光音響検出手段（１，２，３，４，５，・・・，８，９）に対する検出手段選択信号１３を出力する制御手段、１，２，３，４，５，・・・，８，９は制御手段２０２からの起動信号１２に基づき、光源２０１の照射光１０３による生体内からの光音響波信号を検出し検出信号を生成する複数の光音響検出手段、２０３は光音響検出手段（１，２，３，４，５，・・・，８，９）で生成された複数の検出信号（２１，２２，２３，２４，２５，・・・，２８，２９）から検出手段選択信号１３に応じて有効な検出信号を選択する信号選択手段、２０４は信号選択手段２０３より出力された有効検出信号（３１，３２，３３）をそれぞれ増幅する複数の増幅手段、２０５は増幅手段２０４で増幅された複数の有効検出信号をそれぞれＡ／Ｄ変換する複数のＡ／Ｄ変換手段、２０６はＡ／Ｄ変換された複数のデジタルデータ（４１，４２，４３）から生体情報の特徴量を推定する特徴量推定手段、２０７は特徴量推定手段２０６により推定された生体情報の特徴量を表示する特徴量表示手段、２０８は起動信号１２が入力される開始信号生成カウンタ、２０９はデジタルデータ（４１，４２，４３）が入力される信号比較手段、２１０は移動指示信号１７を表示する移動指示手段である。
【００６４】
また、１１は制御信号、１２は起動信号、１３は検出手段選択信号、１４は位置抽出信号、１５は血糖値、１６は検出手段指示信号、１７は移動指示信号、２１，２２，２３，２４，２５，・・・，２８，２９は検出信号、３１，３２，３３は有効検出信号、４１，４２，４３はデジタルデータ、２２１は位置抽出用閾値Ｘである。
【００６５】
光源２０１は、これを少なくとも１つ以上備え、グルコースが吸収する波長に等しい波長の照射光１０３を放出する。
【００６６】
制御手段２０２は、光源２０１の点灯タイミングを制御する制御信号１１を出力するとともに、複数の増幅手段２０４及びＡ／Ｄ変換手段２０５に対し起動信号１２を出力する。さらに、信号比較手段２０９からの検出手段指示信号１６に基づき有効な光音響検出手段（１，２，３，４，５，・・・，８，９）に対する検出手段選択信号１３を出力する。
【００６７】
信号選択手段２０３は、光音響検出手段（１，２，３，４，５，・・・，８，９）で生成された複数の検出信号(２１，２２，２３，２４，２５，・・・，２８，２９）から検出手段選択信号１３に応じて有効な検出信号を選択し、有効検出信号（３１，３２，３３）を出力する。
【００６８】
複数の増幅手段２０４は、信号選択手段２０３より出力された有効検出信号（３１，３２，３３）をそれぞれ増幅する。
【００６９】
複数のＡ／Ｄ変換手段２０５は、増幅手段２０４で増幅された複数の有効検出信号をそれぞれＡ／Ｄ変換する。
【００７０】
特徴量推定手段２０６は、Ａ／Ｄ変換された複数のデジタルデータ（４１，４２，４３）から生体情報の血糖値１５を推定する。
【００７１】
特徴量表示手段２０７は、特徴量推定手段２０６が推定した血糖値１５を表示する。開始信号生成カウンタ２０８は、制御手段２０２からの起動信号１２に基づきカウントを開始し、カウントした値があらかじめ設定された位置抽出用閾値Ｘ（２２１）以上のとき位置抽出信号１４を出力する。
【００７２】
信号比較手段２０９は、開始信号生成カウンタ２０８からの位置抽出信号１４に基づき、Ａ／Ｄ変換された複数のデジタルデータ（４１，４２，４３）より第１の測定位置及び第２の測定位置を検出し、第１の測定位置と第２の測定位置の時間を測定し、測定した時間の差があらかじめ設定された第一領域閾値Ａ（３２１）、第二領域閾値Ｂ（３２２）、第三領域閾値Ｃ（３２３）に当てはあまらないときに移動指示信号１７を出力する。この第一領域閾値Ａ（３２１）、第二領域閾値Ｂ（３２２）及び第三領域閾値Ｃ（３２３）は、それぞれ有効な光音響検出手段が第一領域内、第二領域内、第三領域内であるか否かの判断基準である。
【００７３】
移動指示手段２１０は、信号比較手段２０９から出力された移動指示信号１７を通知する。
【００７４】
光音響検出手段（１，２，３，４，５，・・・，８，９）は、制御手段２０２からの検出手段起動信号１２に基づき、光音響波信号１０５を検出し、検出信号（２１，２２，２３，２４，２５，・・・，２８，２９）を生成する。
【００７５】
図３は、本発明の実施の形態１における信号比較手段２０９のブロック構成を示す図である。図３において、３０１は測定位置検出手段、３０２は距離測定カウンタＡ、３０３は距離測定カウンタＢ、３０４は距離測定カウンタＣ，３０５は選択信号生成手段、３０６はローパスフィルタ、３０７はピーク位置抽出手段、３０８は比較回数記憶手段である。
【００７６】
また、５１，６１，７１は測定開始信号、５２，６２，７２は測定終了信号、８１はカウンタ値Ａ、８２がカウンタ値Ｂ、８３がカウンタ値Ｃ、３２１は第一領域閾値Ａ、３２２は第二領域閾値Ｂ、３２３は第三領域閾値Ｃである。
【００７７】
また、３２４は生体の表面用閾値Ｄであり、これはＡ／Ｄ変換されたデジタルデータが生体の表面においてエネルギー変換された光音響波信号に対応するか否かの判断基準である。３２５は生体内の血管用閾値Ｅであり、これはＡ／Ｄ変換されたデジタルデータが生体内の血管においてエネルギー変換された光音響波信号に対応するか否かの判断基準である。３２６ないし３２９は無効時間レジスタ群であり、３２６はＬＰＦ開始前無効時間閾値が、３２７はＬＰＦ開始後無効時間閾値が、３２８はＬＰＦ終了前無効時間閾値が、３２９はＬＰＦ終了後無効時間閾値がそれぞれ書き込まれるものである。
【００７８】
測定位置検出手段３０１は、ローパスフィルタ３０６とピーク位置抽出手段３０７を備え、開始信号生成カウンタ２０８からの位置抽出信号１４に基づき、Ａ／Ｄ変換されたデジタルデータ（４１，４２，４３）とあらかじめ設定された生体の表面用閾値Ｄ（３２４）とをそれぞれ比較し、デジタルデータ（４１，４２，４３）が生体の表面用閾値Ｄ（３２４）より高い値から低い値に変化する位置を第１の測定位置として検出するとともに、測定開始信号（５１，６１，７１）の出力を開始し、デジタルデータ（４１，４２，４３）が生体の表面用閾値Ｄ（３２４）より低い値から高い値に変化する位置で測定開始信号（５１，６１，７１）の出力を終了し、その後、デジタルデータ（４１，４２，４３）とあらかじめ設定された生体内の血管用閾値Ｅ（３２５）とを比較し、デジタルデータ（４１，４２，４３）が生体内の血管用閾値Ｅ（３２５）より高い値から低い値に変化する位置を第２の測定位置として検出するとともに測定終了信号（５２，６２，７２）の出力を開始し、デジタルデータ（４１，４２，４３）が生体内の血管用閾値Ｅ（３２５）より低い値から高い値に変化する位置で測定終了信号（５２，６２，７２）の出力を終了する。
【００７９】
距離測定カウンタＡ（３０２）は、測定位置検出手段３０１が出力した測定開始信号５１に基づきカウントを開始し、さらに、測定終了信号５２に基づきカウントを終了する。
【００８０】
距離測定カウンタＢ（３０３）は、測定位置検出手段３０１が出力した測定開始信号６１に基づきカウントを開始し、さらに、測定終了信号６２に基づきカウントを終了する。
【００８１】
距離測定カウンタＣ（３０４）は、測定位置検出手段３０１が出力した測定開始信号７１に基づきカウントを開始し、さらに、測定終了信号７２に基づきカウントを終了する。
【００８２】
選択信号生成手段３０５は、距離測定カウンタＡ（３０２）のカウンタ値Ａ（８１）と、距離測定カウンタＢ（３０３）のカウンタ値Ｂ（８２）と、距離測定カウンタＣ（３０４）のカウンタ値Ｃ（８３）からそれぞれのカウンタ値の差を算出し、カウンタ値の差とあらかじめ設定された第一領域閾値Ａ（３２１）または第二領域閾値Ｂ（３２２）または第三領域閾値Ｃ（３２３）とを比較し、カウンタ値の差が当てはまった閾値に対応する検出手段指示信号１６を生成する。
【００８３】
さらに、選択信号生成手段３０５は、比較回数記憶手段３０８を備え、比較回数記憶手段３０８の記憶回数が２回以上のときに、カウンタ値の差が閾値に当てはまらない場合には移動指示信号１７を生成する。
【００８４】
ローパスフィルタ３０６は、測定開始信号及び測定終了信号の出力時間が短いときに、測定開始信号及び測定終了信号を無効にする。
【００８５】
ピーク位置抽出手段３０７は、有効な光音響検出手段からの検出信号に対応するデジタルデータと生体の表面用閾値Ｄ（３２４）とを比較し、デジタルデータと生体の表面用閾値Ｄ（３２４）との差が最も大きい位置を第１の測定位置として検出し、その後、デジタルデータと生体内の血管用閾値Ｅ（３２５）とを比較し、デジタルデータと生体内の血管用閾値Ｅ（３２５）との差が最も大きい位置を第２の測定位置として検出する。
【００８６】
比較回数記憶手段３０８は、カウンタ値Ａ（８１）、カウンタ値Ｂ（８２）、カウンタ値Ｃ（８３）から算出したカウンタ値の差とあらかじめ設定された第一領域閾値Ａ（３２１）または第二領域閾値Ｂ（３２２）または第三領域閾値Ｃ（３２３）とを比較した回数を記憶する。
【００８７】
図４は、本発明の実施の形態１における測定位置検出手段３０１の詳細な動作を示す図である。
【００８８】
図４において、（ａ）はデジタルデータ４１が生体の表面用閾値Ｄ（３２４）より高い値から低い値に変化するときに短い波形の変化が生じた場合を示し、（ｄ）はデジタルデータ４１が生体の表面用閾値Ｄ（３２４）より低い値から高い値に変化するときに短い波形の変化が生じた場合を示し、（ｂ）及び（ｅ）はデジタルデータ４１が生体の表面用閾値Ｄ（３２４）より高いときにＬｏレベルを出力し、低いときにＨｉレベルを出力するリアルタイム信号を示し、（ｃ）及び（ｆ）はリアルタイム信号をローパスフィルタ３０６によりフィルタリングした測定開始信号を示す。
【００８９】
ここで、無効時間レジスタ群（ＬＰＦ開始前無効時間閾値３２６、ＬＰＦ開始後無効時間閾値３２７、ＬＰＦ終了前無効時間閾値３２８、ＬＰＦ終了後無効時間閾値３２９を有する）には、それぞれ開始時間信号及び測定終了時間を有効とする連続出力時間をあらかじめ設定する。
【００９０】
まず、図４（ａ）、（ｂ）、（ｃ）を用いて、デジタルデータ４１（ａ）が生体の表面用閾値Ｄ（３２４）より高い値から低い値に変化するときに短い波形の変化が生じた場合の測定位置検出手段３０１の動作について説明する。
【００９１】
ｔｓ０において、測定位置検出手段３０１により、デジタルデータ４１と生体の表面用閾値Ｄ（３２４）とが比較される。このとき、デジタルデータ４１が生体の表面用閾値Ｄ（３２４）より低いので、リアルタイム信号がＨｉレベルで出力される。測定開始信号５１は、ローパスフィルタ３０６により変化がカットされ、Ｌｏレベルである。
【００９２】
ｔｓ１において、ｔｓ０と同様に、デジタルデータ４１が生体の表面用閾値Ｄ（３２４）より低いので、リアルタイム信号がＨｉレベルで出力される。測定開始信号５１は、ローパスフィルタ３０６によりリアルタイム信号の連続時間（ｂ：ｔｓ０〜ｔｓ１の時間）とＬＰＦ開始前無効時間閾値３２６とが比較され、リアルタイム信号の連続出力時間がＬＰＦ開始前無効時間閾値３２６より短いため、出力したリアルタイム信号が無効にされ、Ｌｏレベルとされる。
【００９３】
ｔｓ２において、デジタルデータ４１が生体の表面用閾値Ｄ（３２４）より高いので、リアルタイム信号がＬｏレベルで出力される。測定開始信号５１は、ローパスフィルタ３０６により変化がカットされ、Ｌｏレベルのままである。
【００９４】
ｔｓ３において、再びデジタルデータ４１が生体の表面用閾値Ｄ（３２４）より低くなるので、リアルタイム信号がＨｉレベルで出力される。測定開始信号５１は、ローパスフィルタにより変化がカットされ、Ｌｏレベルである。
【００９５】
ｔｓ４において、ｔｓ３と同様に、デジタルデータ４１が生体の表面用閾値Ｄ（３２４）より低いので、リアルタイム信号がＨｉレベルで出力される。測定開始信号５１は、ローパスフィルタ３０６によりリアルタイム信号の連続出力時間（ｂ：ｔｓ３〜ｔｓ４の時間）とＬＰＦ開始前無効時間閾値３２６とが比較され、リアルタイム信号の連続出力時間がＬＰＦ開始前無効時間閾値３２６より長いため、出力したリアルタイム信号が有効にされ、Ｈｉレベルになる。
【００９６】
ｔｓ５において、デジタルデータ４１が生体の表面用閾値Ｄ（３２４）より高いので、リアルタイム信号がＬｏレベルで出力される。測定開始信号５１は、ローパスフィルタ３０６により変化がカットされ、Ｈｉレベルのままである。
【００９７】
ｔｓ６において、ｔｓ５と同様に、デジタルデータ４１が生体の表面用閾値Ｄ（３２４）より高いので、リアルタイム信号がＬｏレベルで出力される。測定開始信号５１は、ローパスフィルタ３０６によりリアルタイム信号の連続出力時間（ｂ：ｔｓ５〜ｔｓ６の時間）とＬＰＦ開始後無効時間閾値３２７とが比較され、リアルタイム信号の連続出力時間がＬＰＦ開始後無効時間閾値３２７より長いため、出力したリアルタイム信号が有効にされ、Ｌｏレベルになる。
【００９８】
次に、図４（ｄ）、（ｅ）、（ｆ）を用いて、デジタルデータ４１（ｄ）が生体の表面用閾値Ｄ（３２４）より低い値から高い値に変化するときに短い波形の変化が生じた場合のローパスフィルタ３０６の動作について説明する。
【００９９】
ｔｅ０において、測定位置検出手段３０１により、デジタルデータ４１と生体の表面用閾値Ｄ（３２４）とが比較される。このとき、デジタルデータ４１が生体の表面用閾値Ｄ（３２４）より低いので、リアルタイム信号がＨｉレベルで出力される。測定開始信号５１は、ローパスフィルタ３０６により変化がカットされ、Ｌｏレベルである。
【０１００】
ｔｅ１において、ｔｅ０と同様に、デジタルデータ４１が生体の表面用閾値Ｄ（３２４）より低いので、リアルタイム信号がＨｉレベルで出力される。測定開始信号５１は、ローパスフィルタ３０６によりリアルタイム信号の連続出力時間（ｅ：ｔｅ０〜ｔｅ１の時間）とＬＰＦ開始前無効時間閾値３２６とが比較され、リアルタイム信号の連続出力時間がＬＰＦ開始前無効時間閾値３２６より長いため、出力したリアルタイム信号が有効にされ、Ｈｉレベルになる。
【０１０１】
ｔｅ２において、デジタルデータ４１が生体の表面用閾値Ｄ（３２４）より高いので、リアルタイム信号がＬｏレベルで出力される。測定開始信号５１は、ローパスフィルタ３０６により変化がカットされ、Ｈｉレベルのままである。
【０１０２】
ｔｅ３において、再びデジタルデータ４１が生体の表面用閾値Ｄ（３２４）より高いので、リアルタイム信号がＬｏレベルで出力される。測定開始信号５１は、ローパスフィルタ３０６によりリアルタイム信号の連続出力時間（ｅ：ｔｅ２〜ｔｅ３の時間）とＬＰＦ開始後無効時間閾値３２７とが比較され、リアルタイム信号の連続出力時間がＬＰＦ開始後無効時間閾値３２７より短いため、出力したリアルタイム信号が無効にされ、Ｈｉレベルのままである。
【０１０３】
ｔｅ４において、デジタルデータ４１が生体の表面用閾値Ｄ（３２４）より低いので、リアルタイム信号がＨｉレベルで出力される。測定開始信号５１は、ローパスフィルタ３０６により変化がカットされ、Ｈｉレベルのままである。
【０１０４】
ｔｅ５において、ｔｅ４と同様に、デジタルデータ４１が生体の表面用閾値Ｄ（３２４）より低いので、リアルタイム信号がＨｉレベルで出力される。測定開始信号５１は、ローパスフィルタ３０６によりカットされ、Ｈｉレベルのままである。
【０１０５】
ｔｅ６において、再びデジタルデータ４１が生体の表面用閾値Ｄ（３２４）より高くなるので、リアルタイム信号がＬｏレベルで出力される。測定開始信号５１がローパスフィルタ３０６により変化がカットされ、Ｈｉレベルのままである。
【０１０６】
ｔｅ７において、ｔｅ６と同様に、デジタルデータ４１が生体の表面用閾値Ｄ（３２４）より高いので、リアルタイム信号がＬｏレベルで出力される。測定開始信号５１は、ローパスフィルタ３０６によりリアルタイム信号の連続出力時間（ｅ：ｔｅ６〜ｔｅ７の時間）とＬＰＦ開始後無効時間閾値３２７とが比較され、リアルタイム信号の連続出力時間がＬＰＦ開始後無効時間閾値３２７より長いため、出力したリアルタイム信号が有効にされ、Ｌｏレベルになる。
【０１０７】
測定開始信号（６１，７１）に関しても同様の処理を行う。また、測定終了信号（５２，６２，７２）に関しても、ローパスフィル３０６が備えるＬＰＦ開始前無効時間閾値３２６をＬＰＦ終了前無効時間閾値３２８に、ＬＰＦ開始後無効時間閾値３２７をＬＰＦ終了後無効時間閾値３２９に、それぞれ置き換えれば同様の説明が成り立つので、説明を省略する。
【０１０８】
図５は、本発明の実施の形態１における非侵襲血糖測定装置１０１の代表的な信号のタイミングチャートを示す図である。図５において、（ａ）は起動信号１２、（ｂ）は開始信号生成カウンタ２０８、（ｃ）は位置抽出信号１４、（ｄ）はデジタルデータ４１、（ｅ）は距離測定カウンタＡ（３０２）、（ｆ）はカウンタ値Ａ（８１）である。
【０１０９】
図６は、本発明の実施の形態１における非侵襲血糖測定装置１０１のフローチャートを示す図である。
【０１１０】
以下、図１、図２、図３、図５、図６を用いて非侵襲血糖測定装置１０１の動作について説明する。
【０１１１】
ここで、各閾値にはそれぞれ次の値を設定する。即ち、
生体の表面用閾値Ｄ（３２４）：第１の測定位置でのデジタルデータの振幅、
生体内の血管用閾値Ｅ（３２５）：第２の測定位置でのデジタルデータの振幅、
位置抽出用閾値Ｘ（２２１）：光源２０１を点灯してから測定位置の検出を開始するまでの時間
を、それぞれあらかじめ設定する。
【０１１２】
まず、ステップ１において、非侵襲血糖測定装置１０１を図１に示すように患者の腕などの生体の表面１０２に装着する。
【０１１３】
ステップ２において、患者が非侵襲血糖測定装置１０１に設けられた血糖値測定開始スイッチ（図示せず）を起動すると、制御手段２０２により光源２０１の点灯タイミングなどの制御信号１１が出力され、光源２０１が点灯されるとともに、複数の増幅手段２０４とＡ／Ｄ変換手段２０５に対し起動信号１２が出力される（図５（ａ）：ｔ５０）。さらに、初期設定として制御手段２０２の内部に記憶された光音響検出手段（１，５，９）に対する検出手段選択信号１３を信号選択手段２０３に出力する。
【０１１４】
なお、ここでは、初期設定として制御手段２０２の内部に光音響検出手段（１，５，９）に対する検出手段選択信号１３を出力すると記憶されているものとして説明したが、ディップスイッチなどで外部から設定するようにしてもよいし、レジスタを備え外部から設定するようにしてもよい。
【０１１５】
光源２０１からの照射光１０３は生体内を伝播し、血管１０４内のグルコースにより吸収され光音響波信号１０５が生成される。
【０１１６】
ステップ３において、開始信号生成カウンタ２０８により、制御手段２０２からの起動信号１２が検出されるとカウントが開始され、位置抽出用閾値Ｘ（２２１）以上になるまでカウントが続けられる（図５（ｂ））。
【０１１７】
ステップ４において、開始信号生成カウンタ２０８によりカウントされた値が位置抽出用閾値Ｘ（２２１）以上になる（ｔ５１）と、第１の測定位置及び第２の測定位置の検出を開始するように位置抽出信号１４が出力される（図５（ｃ））。
【０１１８】
ステップ５において、光音響検出手段（１，２，３，４，５，・・・，８，９）で光音響波信号１０５の検出が開始され、検出信号（２１，２２，２３，２４，２５，・・・，２８，２９）が生成される。信号選択手段２０３は、生成された検出信号（２１，２２，２３，２４，２５，・・・，２８，２９）から検出手段選択信号１３に従って、有効な検出信号（２１，２５，２９）を有効検出信号（３１，３２，３３）として出力する。
【０１１９】
ステップ６において、信号選択手段２０３より出力された有効検出信号（３１，３２，３３）はそれぞれ増幅手段２０４により増幅され、その後、Ａ／Ｄ変換手段２０５によりＡ／Ｄ変換されデジタルデータ（４１，４２，４３）としてそれぞれ出力される（図５（ｄ））。
【０１２０】
ステップ７において、測定位置検出手段３０１により、開始信号生成カウンタ２０８が出力した位置抽出信号１４が検出されると、デジタルデータ（４１，４２，４３）から第１の測定位置をそれぞれ検出するため、デジタルデータの振幅と生体の表面用閾値Ｄ（３２４）とが比較される。デジタルデータの振幅が生体の表面用閾値Ｄ（３２４）以上のときは第１の測定位置（ｔ５２）が検出されるとともに、測定開始信号（５１，６１，７１）の出力がそれぞれ開始される。さらに、デジタルデータから第２の測定位置を検出するため、デジタルデータの振幅と生体内の血管用閾値Ｅ（３２５）とが比較される。デジタルデータの振幅が生体内の血管用閾値Ｅ（３２５）以上のとき、第２の測定位置（ｔ５３）が検出されるとともに、測定位置検出手段３０１により測定終了信号（５２，６２，７２）がそれぞれ出力される。第１の測定位置及び第２の測定位置の検出に関しては図３を用いて説明したので、ここでは説明を省略する。
【０１２１】
ステップ８において、距離測定カウンタＡ（３０２）により、デジタルデータ４１より生成した測定開始信号５１が検出されるとカウントが開始され、測定終了信号５２を検出するまでカウントが続けられる（図５（ｅ））。同様に、距離測定カウンタＢ（３０３）により、デジタルデータ４２より生成した測定開始信号６１が検出されるとカウントが開始され、測定終了信号６２を検出するまでカウントが続けられる。また、距離測定カウンタＣ（３０４）により、デジタルデータ４３より生成した測定開始信号７１が検出されるとカウントが開始され、測定終了信号７２が検出されるまでカウントが続けられる。
【０１２２】
ステップ９において、測定終了信号５２の出力タイミングにおいて、カウンタ値Ａ（８１）が選択信号生成手段３０５に出力され（図５（ｆ）：ｔ５４）、距離測定カウンタＡ（３０２）のカウンタ値がリセットされる。同様に、測定終了信号６２の出力タイミングにおいて、カウンタ値Ｂ（８２）が選択信号生成手段３０５に出力され、距離測定カウンタＢ（３０３）のカウンタ値がリセットされる。また、測定終了信号７２の出力タイミングにおいて、カウンタ値Ｃ（８３）が選択信号生成手段３０５に出力され、距離測定カウンタＣ（３０４）のカウンタ値がリセットされる。
【０１２３】
ステップ１０において、選択信号生成手段３０５が、比較回数記憶手段３０８から距離測定カウンタＡ（３０２），Ｂ（３０３），Ｃ（３０４）のカウンタ値を比較した回数を読み出す。
【０１２４】
ステップ１１において、読み出した比較回数が１回目の場合にはステップ２１へ進み、２回目以上の場合にはステップ１２へ進む。：：：
ステップ１２において、比較回数が２回目以上の場合にはすでに有効にすべき光音響検出手段が選択されているので、有効な光音響検出手段のうち中心の光音響検出手段で得られた距離測定カウンタＢ（３０３）のカウンタ値Ｂ（８２）が最小か否か判断し、最小でない場合にはステップ１３へ進み、最小である場合にはステップ１９へ進む。
【０１２５】
ステップ１３において、選択信号生成手段３０５は移動指示手段２１０に対し移動指示信号１７を出力する。
【０１２６】
ステップ１４において、移動指示手段２１０は移動指示信号１７に基づきに患者に非侵襲血糖測定装置１０１の装着位置を移動するよう通知し、終了する。
【０１２７】
ステップ１５において、検出位置選択プロセスの一連処理を終了した結果、再測定要求がない場合にはステップ１６〜ステップ２０から構成される血糖値推定プロセスに進み、再測定要求がある場合にはステップ２へ進み再度、検出位置選択プロセスを行う。
【０１２８】
ステップ１６において、光源２０１を点灯するとともに、検出手段指示信号１６に基づき、有効な光音響検出手段を起動する。
【０１２９】
光源２０１からの照射光１０３は生体内を伝播し、血管１０４内のグルコースにより吸収され光音響波信号１０５が生成される。
【０１３０】
ステップ１７において、選択信号生成手段３０５からの検出手段指示信号１６が光音響検出手段により受け取られると、光音響波信号１０５の検出が開始され、検出信号が生成される。生成された検出信号は信号選択手段２０３により受信され、有効検出信号（３１，３２，３３）として出力される。
【０１３１】
ステップ１８において、信号選択手段２０３より出力された有効検出信号（３１，３２，３３）はそれぞれ増幅手段２０４により増幅され、その後、Ａ／Ｄ変換手段２０５によりＡ／Ｄ変換されデジタルデータ（４１，４２，４３）としてそれぞれ出力される。
【０１３２】
ステップ１９において、特徴量推定手段２０６がＡ／Ｄ変換手段２０５より出力されたデジタルデータ（４１，４２，４３）から血糖値１５を推定する。
【０１３３】
ステップ２０において、特徴量表示手段２０７が特徴量推定手段２０６より出力された血糖値１５を表示し、一連の血糖値推定プロセスを終了する。
【０１３４】
次に、図６（ｂ）及び（ｃ）を用いて検出位置選択プロセスの検出手段指示信号１６の生成方法について詳細に説明する。
【０１３５】
ステップ２１において、選択信号生成手段３０５が、距離測定カウンタＡ（３０２）、距離測定カウンタＢ（３０３）、距離測定カウンタＣ（３０４）から出力されたカウンタ値Ａ（８１）、カウンタ値Ｂ（８２）、カウンタ値Ｃ（８３）を受け取り、距離測定カウンタＡ（３０２），Ｂ（３０３），Ｃ（３０４）の値を比較し、カウンタ値Ｂ（８２）＜カウンタ値Ａ（８１）＜カウンタ値Ｃ（８３）の順か否か判断する。カウンタ値Ｂ（８２）＜カウンタ値Ａ（８１）＜カウンタ値Ｃ（８３）の順である場合には、ステップ２２へ進み、それ以外の場合にはステップ２７へ進む。
【０１３６】
ステップ２２において、距離測定カウンタＡ（３０２）と距離測定カウンタＣ（３０４）のカウンタ値の差の絶対値を求め、第一領域閾値Ａ（３２１）と比較する。カウンタ値Ａ（８１）とカウンタ値Ｃ（８３）の差の絶対値｜Ａ−Ｃ｜が第一領域閾値Ａ（３２１）以下のときはステップ２３へ進み、第一領域閾値Ａ（３２１）より大きいときはステップ２４へ進む。
【０１３７】
ステップ２３において、カウンタ値Ａ（８１）とカウンタ値Ｃ（８３）の差の絶対値｜Ａ−Ｃ｜が第一領域閾値Ａ（３２１）より小さいので、選択信号生成手段３０５は制御手段２０２に光音響検出手段（４，５，６）を選択するよう指示する検出手段指示信号１６を出力し、ステップ１５へ進む。
【０１３８】
ステップ２４において、カウンタ値Ａ（８１）とカウンタ値Ｂ（８２）のカウンタ値の差の絶対値を求め、第二領域閾値Ｂ（３２２）と比較する。カウンタ値Ａ（８１）とカウンタ値Ｂ（８２）の差の絶対値｜Ａ−Ｂ｜が第二領域閾値Ｂ（３２２）以下のときはステップ２５へ進み、第二領域閾値Ｂ（３２２）より大きいときはステップ２６へ進む。
【０１３９】
ステップ２５において、カウンタ値Ａ（８１）とカウンタ値Ｂ（８２）の差の絶対値｜Ａ−Ｂ｜が第二領域閾値Ｂ（３２２）より小さいので、選択信号生成手段３０５は制御手段２０２に光音響検出手段（２，３，４）を選択するよう指示する検出手段指示信号１６を出力し、ステップ１５へ進む。
【０１４０】
ステップ２６において、カウンタ値Ａ（８１）とカウンタ値Ｂ（８２）の差の絶対値｜Ａ−Ｂ｜が第二領域閾値Ｂ（３２２）より大きいので、選択信号生成手段３０５は制御手段２０２に光音響検出手段（３，４，５）を選択するよう指示する検出手段指示信号１６を出力し、ステップ１５へ進む。
【０１４１】
ステップ２７において、距離測定カウンタＡ（３０２），Ｂ（３０３），Ｃ（３０４）の値を比較し、カウンタ値Ａ（８１）＜カウンタ値Ｂ（８２）＜カウンタ値Ｃ（８３）の順か否か判断する。カウンタ値Ａ（８１）＜カウンタ値Ｂ（８２）＜カウンタ値Ｃ（８３）の順である場合には、ステップ２８へ進み、それ以外の場合にはステップ３１へ進む。
【０１４２】
ステップ２８において、距離測定カウンタＡ（３０２）と距離測定カウンタＢ（３０３）のカウンタ値の差の絶対値を求め、第二領域閾値Ｂ（３２２）と比較する。カウンタ値Ａ（８１）とカウンタ値Ｂ（８２）の差の絶対値｜Ａ−Ｂ｜が第二領域閾値Ｂ（３２２）以下のときはステップ２９へ進み、第二領域閾値Ｂ（３２２）より大きいときはステップ３０へ進む。
【０１４３】
ステップ２９において、カウンタ値Ａ（８１）とカウンタ値Ｂ（８２）の差の絶対値｜Ａ−Ｂ｜が第二領域閾値Ｂ（３２２）より小さいので、選択信号生成手段３０５は制御手段２０２に光音響検出手段（２，３，４）を選択するよう指示する検出手段指示信号１６を出力し、ステップ１５へ進む。
【０１４４】
ステップ３０において、カウンタ値Ａ（８１）とカウンタ値Ｂ（８２）の差の絶対値｜Ａ−Ｂ｜が第二領域閾値Ｂ（３２２）より大きいので、選択信号生成手段３０５は制御手段２０２に光音響検出手段（１，２，３）を選択するよう指示する検出手段指示信号１６を出力し、ステップ１５へ進む。
【０１４５】
ステップ３１において、距離測定カウンタＡ（３０２），Ｂ（３０３），Ｃ（３０４）の値を比較し、カウンタ値Ｂ（８２）＜カウンタ値Ｃ（８３）＜カウンタ値Ａ（８１）の順か否か判断する。カウンタ値Ｂ（８２）＜カウンタ値Ｃ（８３）＜カウンタ値Ａ（８１）の順である場合には、ステップ３２へ進み、それ以外の場合にはステップ３７へ進む。
【０１４６】
ステップ３２において、距離測定カウンタＡ（３０２）と距離測定カウンタＣ（３０４）のカウンタ値の差の絶対値を求め、第一領域閾値Ａ（３２１）と比較する。カウンタ値Ａ（８１）とカウンタ値Ｃ（８３）の差の絶対値｜Ａ−Ｃ｜が第一領域閾値Ａ（３２１）以下のときはステップ３３へ進み、第一領域閾値Ａ（３２１）より大きいときはステップ３４へ進む。
【０１４７】
ステップ３３において、カウンタ値Ａ（８１）とカウンタ値Ｃ（８３）の差の絶対値｜Ａ−Ｃ｜が第一領域閾値Ａ（３２１）より小さいので、選択信号生成手段３０５は制御手段２０２に光音響検出手段（４，５，６）を選択するよう指示する検出手段指示信号１６を出力し、ステップ１５へ進む。
【０１４８】
ステップ３４において、距離測定カウンタＢ（３０３）と距離測定カウンタＣ（３０４）のカウンタ値の差の絶対値を求め、第三領域閾値Ｃ（３２３）と比較する。カウンタ値Ｂ（８２）とカウンタ値Ｃ（８３）の差の絶対値｜Ｂ−Ｃ｜が第三領域閾値Ｃ（３２３）より小さいときはステップ３５へ進み、第三領域閾値Ｃ（３２３）より大きいときはステップ３６へ進む。
【０１４９】
ステップ３５において、カウンタ値Ｂ（８２）とカウンタ値Ｃ（８３）の差の絶対値｜Ｂ−Ｃ｜が第三領域閾値Ｃ（３２３）より小さいので、選択信号生成手段３０５は制御手段２０２に光音響検出手段（６，７，８）を選択するよう指示する検出手段指示信号１６を出力し、ステップ１５へ進む。
【０１５０】
ステップ３６において、カウンタ値Ｂ（８２）とカウンタ値Ｃ（８３）の差の絶対値｜Ｂ−Ｃ｜が第三領域閾値Ｃ（３２３）より大きいので、選択信号生成手段３０５は制御手段２０２に光音響検出手段（５，６，７）を選択するよう指示する検出手段指示信号１６を出力し、ステップ１５へ進む。
【０１５１】
ステップ３７において、距離測定カウンタＡ（３０２），Ｂ（３０３），Ｃ（３０４）の値を比較し、カウンタ値Ｃ（８３）＜カウンタ値Ｂ（８２）＜カウンタ値Ａ（８１）の順か否か判断する。カウンタ値Ｃ（８３）＜カウンタ値Ｂ（８２）＜カウンタ値Ａ（８１）の順である場合には、ステップ３８へ進み、それ以外の場合にはステップ１３へ進む。
【０１５２】
ステップ３８において、距離測定カウンタＢ（３０３）と距離測定カウンタＣ（３０４）のカウンタ値の差の絶対値を求め、第三領域閾値Ｃ（３２３）と比較する。カウンタ値Ｂ（８２）とカウンタ値Ｃ（８３）の差の絶対値｜Ｂ−Ｃ｜が第三領域閾値Ｃ（３２３）以下のときはステップ３９へ進み、第三領域閾値Ｃ（３２３）より大きいときはステップ４０へ進む。
【０１５３】
ステップ３９において、カウンタ値Ｂ（８２）とカウンタ値Ｃ（８３）の差の絶対値｜Ｂ−Ｃ｜が第三領域閾値Ｃ（３２３）より小さいので、選択信号生成手段３０５は制御手段２０２に光音響検出手段（６，７，８）を選択するよう指示する検出手段指示信号１６を出力し、ステップ１５へ進む。
【０１５４】
ステップ４０において、カウンタ値Ｂ（８２）とカウンタ値Ｃ（８３）の差の絶対値｜Ｂ−Ｃ｜が第三領域閾値Ｃ（３２３）より大きいので、選択信号生成手段３０５は制御手段２０２に光音響検出手段（７，８，９）を選択するよう指示する検出手段指示信号１６を出力し、ステップ１５へ進む。
【０１５５】
◇センターセンサ：Ｃｈ５
次に、有効な光音響検出手段（１，５，９）より得られたデジタルデータ（４１，４２，４３）に対して、カウントした距離測定カウンタＡ（３０２），Ｂ（３０３），Ｃ（３０４）の値がカウンタ値Ｂ（８２）＜カウンタ値Ａ（８１）＜カウンタ値Ｃ（８３）の順で、検出位置選択プロセスの一連の処理の結果、光音響検出手段（４，５，６）が有効となる場合に関して、図６及び図７を用いて説明する。
【０１５６】
図７は、本発明の実施の形態１における光音響検出手段（４，５，６）が有効となる場合のデジタルデータ（２１，２５，２９）を示す図であり、（ａ）は光音響検出手段１より得られたデジタルデータ４１、（ｂ）は光音響検出手段５より得られたデジタルデータ４２、（ｃ）は光音響検出手段９より得られたデジタルデータ４３である。
【０１５７】
ステップ１〜ステップ１０までの一連の処理は正常に行われ、ステップ１１において、比較回数が１回目であるとする。
【０１５８】
ここで、第一領域閾値Ａ（３２１）及び第二領域閾値Ｂ（３２２）及び第三領域閾値Ｃ（３２３）には距離測定カウンタのカウンタ値の差としてそれぞれ"１２"が設定されているとし、距離測定カウンタＡ（３０２）のカウンタ値Ａ（８１）が"９０"、距離測定カウンタＢ（３０３）のカウンタ値Ｂ（８２）が"２５"、距離測定カウンタＣ（３０４）のカウンタ値Ｃ（８３）が"１００"であるとする。
【０１５９】
ステップ２１において、選択信号生成手段３０５が、距離測定カウンタＡ（３０２）、距離測定カウンタＢ（３０３）、距離測定カウンタＣ（３０４）から出力されたカウンタ値Ａ（８１）、カウンタ値Ｂ（８２）、カウンタ値Ｃ（８３）を受け取り、距離測定カウンタＡ（３０２），Ｂ（３０３），Ｃ（３０４）の値を比較し、カウンタ値Ｂ（８２）＜カウンタ値Ａ（８１）＜カウンタ値Ｃ（８３）の順か否か判断する。カウンタ値Ａ（８１）＝"９０"、カウンタ値Ｂ（８２）＝"２５"、カウンタ値Ｃ（８３）＝"１００"なので、カウンタ値Ｂ（８２）＜カウンタ値Ａ（８１）＜カウンタ値Ｃ（８３）の順となり、ステップ２２へ進む。
【０１６０】
ステップ２２において、距離測定カウンタＡ（３０２）と距離測定カウンタＣ（３０４）のカウンタ値の差の絶対値を求め、第一領域閾値Ａ（３２１）と比較する。カウンタ値Ａ（８１）とカウンタ値Ｃ（８３）の差の絶対値｜Ａ−Ｃ｜＝｜９０−１００｜＝"１０"であるので第一領域閾値Ａ（３２１）＝"１２"以下なのでステップ２３へ進む。
【０１６１】
ステップ２３において、｜Ａ−Ｃ｜≦第一領域閾値Ａ（３２１）が成り立つので、選択信号生成手段３０５は制御手段２０２に光音響検出手段（４，５，６）を選択するよう指示する検出手段指示信号１６を再測定要求なしで出力し、ステップ１５へ進む。
を出力し、ステップ１５へ進む。
【０１６２】
ステップ１５において、検出位置選択プロセスの一連処理を終了した結果、再測定要求がないので、ステップ１６〜ステップ２０から構成される血糖値推定プロセスに進む。
【０１６３】
ステップ１６において、光源２０１を点灯するとともに、検出手段指示信号１６に基づき、光音響検出手段（４，５，６）を起動する。
【０１６４】
ステップ１７において、選択信号生成手段３０５からの検出手段指示信号１６が光音響検出手段（４，５，６）により受け取られると、光音響信号１０５の検出が開始され、検出信号（２４，２５，２６）が生成される。生成された検出信号（２４，２５，２６）は信号選択手段２０３により受信され、有効検出信号（３１，３２，３３）として出力される。
【０１６５】
ステップ１８において、信号選択手段２０３より出力された有効検出信号（３１，３２，３３）はそれぞれ増幅手段２０４により増幅され、その後、Ａ／Ｄ変換手段２０５によりＡ／Ｄ変換されデジタルデータ（４１，４２，４３）としてそれぞれ出力される。
【０１６６】
ステップ１９において、特徴量推定手段２０６がＡ／Ｄ変換手段２０６より出力されたデジタルデータ（４１，４２，４３）から血糖値１５を推定する。
【０１６７】
ステップ２０において、特徴量表示手段２０７が特徴量推定手段２０６より出力された血糖値１５を表示し、一連の血糖値推定プロセスを終了する。
【０１６８】
次に、有効な光音響検出手段（１，５，９）より得られたデジタルデータ（４１，４２，４３）に対して、カウントした距離測定カウンタＡ（３０２），Ｂ（３０３），Ｃ（３０４）の値がカウンタ値Ｂ（８２）＜カウンタ値Ａ（８１）＜カウンタ値Ｃ（８３）の順で、検出位置選択プロセスの一連の処理の結果、光音響検出手段（２，３，４）が有効となる場合に関して、図６及び図８を用いて説明する。
【０１６９】
図８は、本発明の実施の形態１における光音響検出手段（２，３，４）が有効となる場合のデジタルデータ（２１，２５，２９）を示す図であり、（ａ）は光音響検出手段１より得られたデジタルデータ４１、（ｂ）は光音響検出手段５より得られたデジタルデータ４２、（ｃ）は光音響検出手段９より得られたデジタルデータ４３である。
【０１７０】
ステップ１〜ステップ１０までの一連の処理は正常に行われ、ステップ１１において、比較回数が１回目であるとする。
【０１７１】
ここで、第一領域閾値Ａ（３２１）及び第二領域閾値Ｂ（３２２）及び第三領域閾値Ｃ（３２３）には距離測定カウンタのカウンタ値の差としてそれぞれ"１２"が設定されているとし、距離測定カウンタＡ（３０２）のカウンタ値Ａ（８１）が"４８"、距離測定カウンタＢ（３０３）のカウンタ値Ｂ（８２）が"４５"、距離測定カウンタＣ（３０４）のカウンタ値Ｃ（８３）が"２３０"であるとする。
【０１７２】
ステップ２１において、選択信号生成手段３０５が、距離測定カウンタＡ（３０２）、距離測定カウンタＢ（３０３）、距離測定カウンタＣ（３０４）から出力されたカウンタ値Ａ（８１）、カウンタ値Ｂ（８２）、カウンタ値Ｃ（８３）を受け取り、距離測定カウンタＡ（３０２），Ｂ（３０３），Ｃ（３０４）の値を比較し、カウンタ値Ｂ（８２）＜カウンタ値Ａ（８１）＜カウンタ値Ｃ（８３）の順か否か判断する。カウンタ値Ａ（８１）＝"４８"、カウンタ値Ｂ（８２）＝"４５"、カウンタ値Ｃ（８３）＝"２３０"なので、カウンタ値Ｂ（８２）＜カウンタ値Ａ（８１）＜カウンタ値Ｃ（８３）の順となり、ステップ２２へ進む。
【０１７３】
ステップ２２において、距離測定カウンタＡ（３０２）と距離測定カウンタＣ（３０４）のカウンタ値の差の絶対値を求め、第一領域閾値Ａ（３２１）と比較する。カウンタ値Ａ（８１）とカウンタ値Ｃ（８３）の差の絶対値｜Ａ−Ｃ｜＝｜４８−２３０｜＝"１８２"であるので第一領域閾値Ａ（３２１）＝"１２"より大きいのでステップ２４へ進む。
【０１７４】
ステップ２４において、距離測定カウンタＡ（３０２）と距離測定カウンタＢ（３０３）のカウンタ値の差の絶対値を求め、第二領域閾値Ｂ（３２２）と比較する。カウンタ値Ａ（８１）とカウンタ値Ｂ（８２）の差の絶対値｜Ａ−Ｂ｜＝｜４８−４５｜＝"３"であるので第二領域閾値Ｂ（３２２）＝"１２"以下なのでステップ２５へ進む。
【０１７５】
ステップ２５において、｜Ａ−Ｂ｜≦第二領域閾値Ｂ（３２２）が成り立つので、選択信号生成手段３０５は制御手段２０２に光音響検出手段（２，３，４）を選択するよう指示する検出手段指示信号１６を再測定要求なしで出力し、ステップ１５へ進む。
を出力し、ステップ１５へ進む。
【０１７６】
ステップ１５において、検出位置選択プロセスの一連処理を終了した結果、再測定要求がないので、ステップ１６〜ステップ２０から構成される血糖値推定プロセスに進む。
【０１７７】
ステップ１６において、光源２０１を点灯するとともに、検出手段指示信号１６に基づき、光音響検出手段（２，３，４）を起動する。
【０１７８】
ステップ１７において、選択信号生成手段３０５からの検出手段指示信号１６が光音響検出手段（２，３，４）により受け取られると、光音響信号１０５の検出が開始され、検出信号（２２，２３，２４）が生成される。生成された検出信号（２２，２３，２４）は信号選択手段２０３により受信され、有効検出信号（３１，３２，３３）として出力される。
【０１７９】
ステップ１８において、信号選択手段２０３より出力された有効検出信号（３１，３２，３３）はそれぞれ増幅手段２０４により増幅され、その後、Ａ／Ｄ変換手段２０５によりＡ／Ｄ変換されデジタルデータ（４１，４２，４３）としてそれぞれ出力される。
【０１８０】
ステップ１９において、特徴量推定手段２０６がＡ／Ｄ変換手段２０６より出力されたデジタルデータ（４１，４２，４３）から血糖値１５を推定する。
【０１８１】
ステップ２０において、特徴量表示手段２０７が特徴量推定手段２０６より出力された血糖値１５を表示し、一連の血糖値推定プロセスを終了する。
【０１８２】
次に、有効な光音響検出手段（１，５，９）より得られたデジタルデータ（４１，４２，４３）に対して、カウントした距離測定カウンタＡ（３０２），Ｂ（３０３），Ｃ（３０４）の値がカウンタ値Ｂ（８２）＜カウンタ値Ａ（８１）＜カウンタ値Ｃ（８３）の順で、検出位置選択プロセスの一連の処理の結果、光音響検出手段（３，４，５）が有効となる場合に関して、図６及び図９を用いて説明する。
【０１８３】
図９は、本発明の実施の形態１における光音響検出手段（３，４，５）が有効となる場合のデジタルデータ（２１，２５，２９）を示す図であり、（ａ）は光音響検出手段１より得られたデジタルデータ４１、（ｂ）は光音響検出手段５より得られたデジタルデータ４２、（ｃ）は光音響検出手段９より得られたデジタルデータ４３である。
【０１８４】
ステップ１〜ステップ１０までの一連の処理は正常に行われ、ステップ１１において、比較回数が１回目であるとする。
【０１８５】
ここで、第一領域閾値Ａ（３２１）及び第二領域閾値Ｂ（３２２）及び第三領域閾値Ｃ（３２３）には距離測定カウンタのカウンタ値の差としてそれぞれ"１２"が設定されているとし、距離測定カウンタＡ（３０２）のカウンタ値Ａ（８１）が"８０"、距離測定カウンタＢ（３０３）のカウンタ値Ｂ（８２）が"２５"、距離測定カウンタＣ（３０４）のカウンタ値Ｃ（８３）が"１４０"であるとする。
【０１８６】
ステップ２１において、選択信号生成手段３０５が、距離測定カウンタＡ（３０２）、距離測定カウンタＢ（３０３）、距離測定カウンタＣ（３０４）から出力されたカウンタ値Ａ（８１）、カウンタ値Ｂ（８２）、カウンタ値Ｃ（８３）を受け取り、距離測定カウンタＡ（３０２），Ｂ（３０３），Ｃ（３０４）の値を比較し、カウンタ値Ｂ（８２）＜カウンタ値Ａ（８１）＜カウンタ値Ｃ（８３）の順か否か判断する。カウンタ値Ａ（８１）＝"８０"、カウンタ値Ｂ（８２）＝"２５"、カウンタ値Ｃ（８３）＝"１４０"なので、カウンタ値Ｂ（８２）＜カウンタ値Ａ（８１）＜カウンタ値Ｃ（８３）の順となり、ステップ２２へ進む。
【０１８７】
ステップ２２において、距離測定カウンタＡ（３０２）と距離測定カウンタＣ（３０４）のカウンタ値の差の絶対値を求め、第一領域閾値Ａ（３２１）と比較する。カウンタ値Ａ（８１）とカウンタ値Ｃ（８３）の差の絶対値｜Ａ−Ｃ｜＝｜２５−１４０｜＝"１１５０"であるので第一領域閾値Ａ（３２１）＝"１２"より大きいのでステップ２４へ進む。
【０１８８】
ステップ２４において、距離測定カウンタＡ（３０２）と距離測定カウンタＢ（３０３）のカウンタ値の差の絶対値を求め、第二領域閾値Ｂ（３２２）と比較する。カウンタ値Ａ（８１）とカウンタ値Ｂ（８２）の差の絶対値｜Ａ−Ｂ｜＝｜２５−８０｜＝"５５"であるので第二領域閾値Ｂ（３２２）＝"１２"より大きいのでステップ２６へ進む。
【０１８９】
ステップ２６において、｜Ａ−Ｂ｜≦第二領域閾値Ｂ（３２２）が成り立たないので、選択信号生成手段３０５は制御手段２０２に光音響検出手段（３，４，５）を選択するよう指示する検出手段指示信号１６を再測定要求なしで出力し、ステップ１５へ進む。
【０１９０】
ステップ１５において、検出位置選択プロセスの一連処理を終了した結果、再測定要求がないので、ステップ１６〜ステップ２０から構成される血糖値推定プロセスに進む。
【０１９１】
ステップ１６において、光源２０１を点灯するとともに、検出手段指示信号１６に基づき、光音響検出手段（３，４，５）を起動する。
【０１９２】
ステップ１７において、選択信号生成手段３０５からの検出手段指示信号１６が光音響検出手段（３，４，５）により受け取られると、光音響信号１０５の検出が開始され、検出信号（２３，２４，２５）が生成される。生成された検出信号（２３，２４，２５）は信号選択手段２０３により受信され、有効検出信号（３１，３２，３３）として出力される。
【０１９３】
ステップ１８において、信号選択手段２０３より出力された有効検出信号（３１，３２，３３）はそれぞれ増幅手段２０４により増幅され、その後、Ａ／Ｄ変換手段２０５によりＡ／Ｄ変換されデジタルデータ（４１，４２，４３）としてそれぞれ出力される。
【０１９４】
ステップ１９において、特徴量推定手段２０６がＡ／Ｄ変換手段２０６より出力されたデジタルデータ（４１，４２，４３）から血糖値１５を推定する。
【０１９５】
ステップ２０において、特徴量表示手段２０７が特徴量推定手段２０６より出力された血糖値１５を表示し、一連の血糖値推定プロセスを終了する。
【０１９６】
次に、有効な光音響検出手段（１，５，９）より得られたデジタルデータ（４１，４２，４３）に対して、カウントした距離測定カウンタＡ（３０２），Ｂ（３０３），Ｃ（３０４）の値がカウンタ値Ａ（８１）＜カウンタ値Ｂ（８２）＜カウンタ値Ｃ（８３）の順で、検出位置選択プロセスの一連の処理の結果、光音響検出手段（２，３，４）が有効となる場合に関して、図６及び図１０を用いて説明する。
【０１９７】
図１０は、本発明の実施の形態１における光音響検出手段（２，３，４）が有効となる場合のデジタルデータ（２１，２５，２９）を示す図であり、（ａ）は光音響検出手段１より得られたデジタルデータ４１、（ｂ）は光音響検出手段５より得られたデジタルデータ４２、（ｃ）は光音響検出手段９より得られたデジタルデータ４３である。
【０１９８】
ステップ１〜ステップ１０までの一連の処理は正常に行われ、ステップ１１において、比較回数が１回目であるとする。
【０１９９】
ここで、第一領域閾値Ａ（３２１）及び第二領域閾値Ｂ（３２２）及び第三領域閾値Ｃ（３２３）には距離測定カウンタのカウンタ値の差としてそれぞれ"１２"が設定されているとし、距離測定カウンタＡ（３０２）のカウンタ値Ａ（８１）が"４５"、距離測定カウンタＢ（３０３）のカウンタ値Ｂ（８２）が"４８"、距離測定カウンタＣ（３０４）のカウンタ値Ｃ（８３）が"２３０"であるとする。
【０２００】
ステップ２１において、選択信号生成手段３０５が、距離測定カウンタＡ（３０２）、距離測定カウンタＢ（３０３）、距離測定カウンタＣ（３０４）から出力されたカウンタ値Ａ（８１）、カウンタ値Ｂ（８２）、カウンタ値Ｃ（８３）を受け取り、距離測定カウンタＡ（３０２），Ｂ（３０３），Ｃ（３０４）の値を比較し、カウンタ値Ｂ（８２）＜カウンタ値Ａ（８１）＜カウンタ値Ｃ（８３）の順か否か判断する。カウンタ値Ａ（８１）＝"４５"、カウンタ値Ｂ（８２）＝"４８"、カウンタ値Ｃ（８３）＝"２３０"なので、カウンタ値Ａ（８１）＜カウンタ値Ｂ（８２）＜カウンタ値Ｃ（８３）の順となり、ステップ２７へ進む。
【０２０１】
ステップ２７において、距離測定カウンタＡ（３０２），Ｂ（３０３），Ｃ（３０４）の値を比較し、カウンタ値Ａ（８１）＜カウンタ値Ｂ（８２）＜カウンタ値Ｃ（８３）の順か否か判断する。カウンタ値Ａ（８１）＝"４５"、カウンタ値Ｂ（８２）＝"４８"、カウンタ値Ｃ（８３）＝"２３０"なので、カウンタ値Ａ（８１）＜カウンタ値Ｂ（８２）＜カウンタ値Ｃ（８３）の順となり、ステップ２８へ進む。
【０２０２】
ステップ２８において、距離測定カウンタＡ（３０２）と距離測定カウンタＢ（３０３）のカウンタ値の差の絶対値を求め、第二領域閾値Ｂ（３２２）と比較する。カウンタ値Ａ（８１）とカウンタ値Ｂ（８２）の差の絶対値｜Ａ−Ｂ｜＝｜４５−４８｜＝"３"であるので第二領域閾値Ｂ（３２２）＝"１２"以下なのでステップ２９へ進む。
【０２０３】
ステップ２９において、｜Ａ−Ｂ｜≦第二領域閾値Ｂ（３２２）が成り立つので、選択信号生成手段３０５は制御手段２０２に光音響検出手段（２，３，４）を選択するよう指示する検出手段指示信号１６を再測定要求なしで出力し、ステップ１５へ進む。
を出力し、ステップ１５へ進む。
【０２０４】
ステップ１５において、検出位置選択プロセスの一連処理を終了した結果、再測定要求がないので、ステップ１６〜ステップ２０から構成される血糖値推定プロセスに進む。
【０２０５】
ステップ１６において、光源２０１を点灯するとともに、検出手段指示信号１６に基づき、光音響検出手段（２，３，４）を起動する。
【０２０６】
ステップ１７において、選択信号生成手段３０５からの検出手段指示信号１６が光音響検出手段（２，３，４）により受け取られると、光音響信号１０５の検出が開始され、検出信号（２２，２３，２４）が生成される。生成された検出信号（２２，２３，２４）は信号選択手段２０３により受信され、有効検出信号（３１，３２，３３）として出力される。
【０２０７】
ステップ１８において、信号選択手段２０３より出力された有効検出信号（３１，３２，３３）はそれぞれ増幅手段２０４により増幅され、その後、Ａ／Ｄ変換手段２０５によりＡ／Ｄ変換されデジタルデータ（４１，４２，４３）としてそれぞれ出力される。
【０２０８】
ステップ１９において、特徴量推定手段２０６がＡ／Ｄ変換手段２０６より出力されたデジタルデータ（４１，４２，４３）から血糖値１５を推定する。
【０２０９】
ステップ２０において、特徴量表示手段２０７が特徴量推定手段２０６より出力された血糖値１５を表示し、一連の血糖値推定プロセスを終了する。
【０２１０】
次に、有効な光音響検出手段（１，５，９）より得られたデジタルデータ（４１，４２，４３）に対して、カウントした距離測定カウンタＡ（３０２），Ｂ（３０３），Ｃ（３０４）の値がカウンタ値Ａ（８１）＜カウンタ値Ｂ（８２）＜カウンタ値Ｃ（８３）の順で、検出位置選択プロセスの一連の処理の結果、光音響検出手段（１，２，３）が有効となる場合に関して、図６及び図１１を用いて説明する。
【０２１１】
図１１は、本発明の実施の形態１における光音響検出手段（１，２，３）が有効となる場合のデジタルデータ（２１，２５，２９）を示す図であり、（ａ）は光音響検出手段１より得られたデジタルデータ４１、（ｂ）は光音響検出手段５より得られたデジタルデータ４２、（ｃ）は光音響検出手段９より得られたデジタルデータ４３である。
【０２１２】
ステップ１〜ステップ１０までの一連の処理は正常に行われ、ステップ１１において、比較回数が１回目であるとする。
【０２１３】
ここで、第一領域閾値Ａ（３２１）及び第二領域閾値Ｂ（３２２）及び第三領域閾値Ｃ（３２３）には距離測定カウンタのカウンタ値の差としてそれぞれ"１２"が設定されているとし、距離測定カウンタＡ（３０２）のカウンタ値Ａ（８１）が"３０"、距離測定カウンタＢ（３０３）のカウンタ値Ｂ（８２）が"７０"、距離測定カウンタＣ（３０４）のカウンタ値Ｃ（８３）が"３２０"であるとする。
【０２１４】
ステップ２１において、選択信号生成手段３０５が、距離測定カウンタＡ（３０２）、距離測定カウンタＢ（３０３）、距離測定カウンタＣ（３０４）から出力されたカウンタ値Ａ（８１）、カウンタ値Ｂ（８２）、カウンタ値Ｃ（８３）を受け取り、距離測定カウンタＡ（３０２），Ｂ（３０３），Ｃ（３０４）の値を比較し、カウンタ値Ｂ（８２）＜カウンタ値Ａ（８１）＜カウンタ値Ｃ（８３）の順か否か判断する。カウンタ値Ａ（８１）＝"３０"、カウンタ値Ｂ（８２）＝"７０"、カウンタ値Ｃ（８３）＝"３２０"なので、カウンタ値Ａ（８１）＜カウンタ値Ｂ（８２）＜カウンタ値Ｃ（８３）の順となり、ステップ２７へ進む。
【０２１５】
ステップ２７において、距離測定カウンタＡ（３０２），Ｂ（３０３），Ｃ（３０４）の値を比較し、カウンタ値Ａ（８１）＜カウンタ値Ｂ（８２）＜カウンタ値Ｃ（８３）の順か否か判断する。カウンタ値Ａ（８１）＝"３０"、カウンタ値Ｂ（８２）＝"７０"、カウンタ値Ｃ（８３）＝"３２０"なので、カウンタ値Ａ（８１）＜カウンタ値Ｂ（８２）＜カウンタ値Ｃ（８３）の順となり、ステップ２８へ進む。
【０２１６】
ステップ２８において、距離測定カウンタＡ（３０２）と距離測定カウンタＢ（３０３）のカウンタ値の差の絶対値を求め、第二領域閾値Ｂ（３２２）と比較する。カウンタ値Ａ（８１）とカウンタ値Ｂ（８２）の差の絶対値｜Ａ−Ｂ｜＝｜３０−７０｜＝"４０"であるので第二領域閾値Ｂ（３２２）＝"１２"より大きいのでステップ３０へ進む。
【０２１７】
ステップ３０において、｜Ａ−Ｂ｜≦第二領域閾値Ｂ（３２２）が成り立たないので、選択信号生成手段３０５は制御手段２０２に光音響検出手段（１，２，３）を選択するよう指示する検出手段指示信号１６を再測定要求ありで出力し、ステップ１５へ進む。
【０２１８】
ステップ１５において、検出位置選択プロセスの一連処理を終了した結果、再測定要求があるため、ステップ２〜ステップ９までの検出位置選択プロセスのうち光音響検出手段（１，２，３）を起動しカウンタ値Ａ（８１），Ｂ（８２），Ｃ（８３）を出力する一連の処理が正常に行われたとし、距離測定カウンタＡ（３０２）のカウンタ値Ａ（８１）が"４５"、距離測定カウンタＢ（３０３）のカウンタ値Ｂ（８２）が"４３"、距離測定カウンタＣ（３０４）のカウンタ値Ｃ（８３）が"４６"であるとする。
【０２１９】
ステップ１０において、選択信号生成手段３０５が、比較回数記憶手段３０８から距離測定カウンタＡ（３０２），Ｂ（３０３），Ｃ（３０４）のカウンタ値を比較した回数を読み出し、２回目の比較となる。
【０２２０】
ステップ１１において、読み出した比較回数が２回目なのでステップ１２へ進む。
【０２２１】
ステップ１２において、比較回数が２回目の場合にはすでに隣り合う３つの光音響検出手段（ここでは、光音響検出手段（２，３，４））が選択されているので、中心の光音響検出手段（つまり、光音響検出手段２）で得られた距離測定カウンタＢ（３０３）のカウンタ値Ｂ（８２）が最小か否か判断する。カウンタ値Ａ（８１）＝"４５"、カウンタ値Ｂ（８２）＝"４３"、カウンタ値Ｃ（８３）＝"４６"なので、光音響検出手段２より得られたカウンタ値Ｂ（８２）が最小であるため、ステップ１９へ進む。
【０２２２】
ステップ１９において、特徴量推定手段２０６がＡ／Ｄ変換手段２０６より出力されたデジタルデータ（４１，４２，４３）から血糖値１５を推定する。
【０２２３】
ステップ２０において、特徴量表示手段２０７が特徴量推定手段２０６より出力された血糖値１５を表示し、一連の血糖値推定プロセスを終了する。
【０２２４】
◇センターセンサ：Ｃｈ１
ステップ１２において、比較回数が２回目の場合で、かつ、光音響検出手段２より得られたカウンタ値Ｂ（８２）が最小でない場合にはステップ１３へ進む。
【０２２５】
ステップ１３において、選択信号生成手段３０５は移動指示手段２１０に対し移動指示信号１７を出力する。
【０２２６】
ステップ１４において、移動指示手段２１０は移動指示信号１７に基づきに患者に非侵襲血糖測定装置１０１の装着位置を移動するよう通知し、終了する。患者は移動指示手段２１０からの通知に従って、非侵襲血糖測定装置１０１の装着位置を移動し、再度、ステップ１からの処理を行う。
【０２２７】
また、光音響検出手段（６，７，８，９）が有効な光音響検出手段として選択される場合に関しても、ステップ３１〜ステップ４０から構成されるカウンタ値Ａ（８１），Ｂ（８２），Ｃ（８３）の比較と、閾値（第一領域閾値Ａ（３２１）及び第三領域閾値Ｃ（３２３））との比較の一連の処理を行うことにより、光音響検出手段（１，２，３，４，５）が有効な光音響検出手段として選択される場合と同様の説明が成り立つので、説明を省略する。
【０２２８】
以上のように、本発明の実施の形態１によれば、信号比較手段２０９を設けることにより、デジタルデータ（４１，４２，４３）から第１の測定位置と第２の測定位置をそれぞれ検出し、第１，第２の測定位置間の時間を測定し、距離の大きさを比較して場合分けを行い、さらに、それぞれの第１，第２の測定位置間の距離の差を求めて、これが有効な光音響検出手段が存在する領域を示す第１，第２の測定位置間の距離の差に該当するか否かを閾値との比較により判定することにより、有効な光音響検出手段を検出することができるようにしたので、生体から得られる微弱な光音響波信号から血糖値を推定するための信号に増幅及びＡ／Ｄ変換するための増幅手段やＡ／Ｄ変換手段を減らすことができ、回路を大型化することなく、さらに低消費電力の装置を提供することができる。
【０２２９】
また、本発明の実施の形態１においては、生態の表面用閾値Ｄ（３２４）及び生体内の血管用閾値Ｅ（３２５）はそれぞれ第１の測定位置及び第２の測定位置でのデジタルデータ（４１，４２，４３）の振幅として説明したが、それぞれ第１の測定位置及び第２の測定位置でのデジタルデータ（４１，４２，４３）の傾きとしてもよく、同様の結果を得ることができる。
【０２３０】
また、本発明の実施の形態１においては、開始信号生成カウンタ２０８を設けることにより、制御手段２０２から出力された起動信号１２からあらかじめ設定した位置抽出用閾値Ｘ（２２１）までの待ち時間を設けて第１の測定位置と第２の測定位置を検出するものについて説明したが、第１の測定位置の前に生体の表面用閾値Ｄ（３２４）を超える信号が発生しないように設定することにより、開始信号生成カウンタ２０８を省略するようにしてもよく、同様の結果を得ることができる。
【０２３１】
また、本発明の実施の形態１においては、ローパスフィルタ３０６は、測定位置検出手段３０１が備えるものとしたが、外乱による影響を除去するため光音響検出手段に備えて、検出信号のノイズ成分を除去するようにしてもよく、同様の効果を得ることができる。
【０２３２】
さらに、本発明の実施の形態１においては、測定位置検出手段３０１により、デジタルデータ（４１，４２，４３）が生体の表面用閾値Ｄ（３２４）より低い値から高い値に変化する位置を第１の測定位置として検出し、デジタルデータ（４１，４２，４３）が生体内の血管用閾値Ｅ（３２５）より高い値から低い値に変化する位置を第２の測定位置として検出するようにしたが、測定位置検出手段３０１内のピーク位置抽出手段３０７により、測定開始信号（５１，６１，７１）が有効な期間で、デジタルデータ（４１，４２，４３）と生体の表面用閾値Ｄ（３２４）との差がもっとも大きい位置を第１の測定ピーク位置として検出し、その後、測定終了信号（５２，６２，７２）が有効な期間で、デジタルデータ（４１，４２，４３）と生体内の血管用閾値Ｅ（３２５）との差がもっとも大きい位置を第２の測定ピーク位置としてそれぞれ検出し、距離測定カウンタＡ（３０２），Ｂ（３０３），Ｃ（３０４）により第１の測定ピーク位置と第２の測定ピーク位置の時間をそれぞれカウントするようにしてもよく、同様の効果を得ることができる。
【産業上の利用可能性】
【０２３３】
以上のように、本発明にかかる非侵襲生体情報測定装置は、非侵襲生体情報測定装置に信号比較手段を設け、非侵襲生体情報測定装置の測定動作により有効な光音響波検出手段を選択するようにしたので、光音響検出手段よりも少ない数の増幅手段、Ａ／Ｄ変換手段で測定回数を大きく増やすことなく特徴量を推定するのに有用である。
【図面の簡単な説明】
【０２３４】
【図１】本発明の実施の形態１におけるシステム構成を示す図
【図２】本発明の実施の形態１による非侵襲血糖測定装置１０１のブロック構成を示す図
【図３】本発明の実施の形態１における信号比較手段２０９のブロック構成を示す図
【図４】本発明の実施の形態１における測定位置検出手段３０１の詳細な動作を示す図
【図５】本発明の実施の形態１における非侵襲血糖測定装置１０１の代表的な信号のタイミングチャート
【図６ａ】本発明の実施の形態１における非侵襲血糖測定装置１０１のフローチャート
【図６ｂ】本発明の実施の形態１における非侵襲血糖測定装置１０１のフローチャート
【図６ｃ】本発明の実施の形態１における非侵襲血糖測定装置１０１のフローチャート
【図７】本発明の実施の形態１における光音響検出手段（４，５，６）が有効となる場合のデジタルデータ（４１，４２，４３）を示す図
【図８】本発明の実施の形態１における光音響検出手段（２，３，４）が有効となる場合のデジタルデータ（４１，４２，４３）を示す図
【図９】本発明の実施の形態１における光音響検出手段（３，４，５）が有効となる場合のデジタルデータ（４１，４２，４３）を示す図
【図１０】本発明の実施の形態１における光音響検出手段（２，３，４）が有効となる場合のデジタルデータ（４１，４２，４３）を示す図
【図１１】本発明の実施の形態１における光音響検出手段（１，２，３）が有効となる場合のデジタルデータ（４１，４２，４３）を示す図
【符号の説明】
【０２３５】
１０１  非侵襲血糖測定装置
１０２  生体の表面
１０３  照射光
１０４  血管
１０５  光音響波信号
２０１  光源
２０２  制御手段
２０３  信号選択手段
２０４  増幅手段
２０５  Ａ／Ｄ変換手段
２０６  特徴量推定手段
２０７  特徴量表示手段
２０８  開始信号生成カウンタ
２０９  信号比較手段
２１０  移動指示手段
２２１  位置抽出用閾値Ｘ
１，２，３，４，５，・・・，８，９  光音響検出手段
１１  制御信号
１２  起動信号
１３  検出手段選択信号
１４  位置抽出信号
１５  血糖値
１６  検出手段指示信号
１７  移動指示信号
２１，２２，２３，２４，２５，・・・，２８，２９  検出信号
３１，３２，３３  有効検出信号
４１，４２，４３  デジタルデータ
３０１  測定位置検出手段
３０２  距離測定カウンタＡ
３０３  距離測定カウンタＢ
３０４  距離測定カウンタＣ
３０５  選択信号生成手段
３０６  ローパスフィルタ
３０７  ピーク位置抽出手段
３０８  比較回数記憶手段
３２１  第一領域閾値Ａ
３２２  第二領域閾値Ｂ
３２３  第三領域閾値Ｃ
３２４  生体の表面用閾値Ｄ
３２５  生体内の血管用閾値Ｅ
３２６  ＬＰＦ開始前無効時間閾値
３２７  ＬＰＦ開始後無効時間閾値
３２８  ＬＰＦ終了前無効時間閾値
３２９  ＬＰＦ終了後無効時間閾値
５１，６１，７１  測定開始信号
５２，６２，７２  測定終了信号
８１  カウンタ値Ａ
８２  カウンタ値Ｂ
８３  カウンタ値Ｃ
９０１  測定位置検出手段
９０２  距離測定カウンタＡ
９０３  距離測定カウンタＢ
９０４  距離測定カウンタＣ
【図１】
2009039266.tif 000003
【図２】
2009039266.tif 000004
【図３】
2009039266.tif 000005
【図４】
2009039266.tif 000006
【図５】
2009039266.tif 000007
【図６ａ】
2009039266.tif 000008
【図６ｂ】
2009039266.tif 000009
【図６ｃ】
2009039266.tif 000010
【図７】
2009039266.tif 000011
【図８】
2009039266.tif 000012
【図９】
2009039266.tif 000013
【図１０】
2009039266.tif 000014
【図１１】
2009039266.tif 000015